(57)【要約】  本出願の実施例はアップリンクデータ伝送方法及び関連装置を提供する。該方法は、ユーザ装置が物理アップリンク共有チャネル（ＰＵＳＣＨ）を伝送するためのアップリンク帯域幅部分（ＢＷＰ）を確定することと、前記ユーザ装置が前記アップリンクＢＷＰに対応するＰＵＳＣＨ伝送パラメータを確定することと、前記ユーザ装置が前記ＰＵＳＣＨ伝送パラメータに基づいて前記アップリンクＢＷＰで前記ＰＵＳＣＨを確定することとを含む。本出願の実施例によれば、ＰＵＳＣＨ伝送の柔軟性を向上させることができる。
2021516459.tif 000002
【特許請求の範囲】
【請求項１】
アップリンクデータ伝送方法であって、
ユーザ装置が物理アップリンク共有チャネル（ＰＵＳＣＨ）を伝送するためのアップリンク帯域幅部分（ＢＷＰ）を確定することと、
前記ユーザ装置が前記アップリンクＢＷＰに対応するＰＵＳＣＨ伝送パラメータを確定することと、
前記ユーザ装置が前記ＰＵＳＣＨ伝送パラメータに基づいて前記アップリンクＢＷＰで前記ＰＵＳＣＨを伝送することとを含む、前記アップリンクデータ伝送方法。
【請求項２】
前記ユーザ装置がＰＵＳＣＨを伝送するためのアップリンクＢＷＰを確定することは、
前記ユーザ装置がＢＷＰ指示情報に基づき、前記ＰＵＳＣＨを伝送するためのアップリンクＢＷＰを確定するように構成され、前記ＰＵＳＣＨをスケジューリングするためのダウンリンク制御情報（ＤＣＩ）が前記ＢＷＰ指示情報を含むことを特徴とする
請求項１に記載の方法。
【請求項３】
前記方法はさらに、
前記ユーザ装置がネットワーク装置から送信された上位層シグナリングを受信し、前記上位層シグナリングが前記ユーザ装置の各アップリンクＢＷＰのために、対応するＰＵＳＣＨ伝送パラメータを配置することに用いられることを含み、
前記ユーザ装置が前記アップリンクＢＷＰに対応するＰＵＳＣＨ伝送パラメータを確定することは、
前記ユーザ装置が前記上位層シグナリングに基づいて前記アップリンクＢＷＰに対応するＰＵＳＣＨ伝送パラメータを確定することを含むことを特徴とする
請求項１又は２に記載の方法。
【請求項４】
前記ＰＵＳＣＨ伝送パラメータは、アップリンク伝送方式、コードブックサブセット制限配置、アップリンク最大伝送層数、周波数選択性プリコーディング配置と復調基準信号（ＤＭＲＳ）配置のうちの少なくとも一つを含むことを特徴とする
請求項１−３のいずれか一項に記載の方法。
【請求項５】
前記アップリンク伝送方式はコードブックに基づく伝送及び／又は非コードブックに基づく伝送を含むことを特徴とする
請求項４に記載の方法。
【請求項６】
前記コードブックサブセット制限配置は約束されたコードブックで前記ＰＵＳＣＨに利用可能なコードブックサブセットを示すことに用いられることを特徴とする
請求項４又は５に記載の方法。
【請求項７】
前記アップリンク最大伝送層数は前記ＰＵＳＣＨに利用可能なランク（Ｒａｎｋ）及び／又は利用可能なプリコーディング行列を確定することに用いられることを特徴とする
請求項４−６のいずれか一項に記載の方法。
【請求項８】
前記周波数選択性プリコーディング配置は周波数選択性プリコーディングを許可するか否かの指示情報、及び／又は周波数選択性プリコーディングに使用されるサブバンドサイズ又は数配置を含むことを特徴とする
請求項４−７のいずれか一項に記載の方法。
【請求項９】
前記ＤＭＲＳ配置は前記ＰＵＳＣＨのＤＭＲＳのパラメータ配置を示すことに用いられ、前記ＤＭＲＳ配置はＤＭＲＳタイプ配置、ＤＭＲＳ時間周波数リソース配置、ＤＭＲＳシーケンス配置とＤＭＲＳ周波数ホッピング配置のうちの少なくとも一つを含むことを特徴とする
請求項４−７のいずれか一項に記載の方法。
【請求項１０】
前記ユーザ装置が前記ＰＵＳＣＨ伝送パラメータに基づいて前記アップリンクＢＷＰで前記ＰＵＳＣＨを伝送することは、
前記ユーザ装置が前記ＰＵＳＣＨ伝送パラメータと前記ＰＵＳＣＨをスケジューリングするためのＤＣＩに含まれるスケジューリング情報とに基づき、前記アップリンクＢＷＰで前記ＰＵＳＣＨを伝送することを特徴とする
請求項２−９のいずれか一項に記載の方法。
【請求項１１】
前記ＰＵＳＣＨ伝送パラメータが前記アップリンク伝送方式を含み、前記ユーザ装置が前記ＰＵＳＣＨ伝送パラメータと前記ＤＣＩに含まれるスケジューリング情報とに基づき、前記アップリンクＢＷＰで前記ＰＵＳＣＨを伝送することは、
前記ユーザ装置が前記アップリンク伝送方式に基づいて前記ＤＣＩに送信ランクインジケータ（ＴＲＩ）情報と送信プリコーディング行列インジケータ（ＴＰＭＩ）情報が含まれるか否かを確定することと、
前記ＤＣＩに前記ＴＲＩとＴＰＭＩ情報が含まれる場合、前記ユーザ装置が確定された前記ＴＲＩとＴＰＭＩ情報に基づいて前記アップリンクＢＷＰで前記ＰＵＳＣＨを伝送することとを含むことを特徴とする
請求項１０に記載の方法。
【請求項１２】
前記ＰＵＳＣＨ伝送パラメータが前記コードブックサブセット制限配置を含み、前記ユーザ装置が前記ＰＵＳＣＨ伝送パラメータと前記ＤＣＩに含まれるスケジューリング情報とに基づき、前記アップリンクＢＷＰで前記ＰＵＳＣＨを伝送することは、
前記ユーザ装置が前記コードブックサブセット制限配置に基づき、約束されたコードブックからターゲットコードブックサブセットを確定することと、
前記ユーザ装置が前記ＤＣＩに含まれるＰＭＩ情報に基づき、前記ターゲットコードブックサブセットから前記ＰＵＳＣＨを伝送するためのプリコーディング行列を確定することと、
前記ユーザ装置が確定された前記プリコーディング行列に基づいて前記アップリンクＢＷＰで前記ＰＵＳＣＨを伝送することとを含むことを特徴とする
請求項１０又は１１に記載の方法。
【請求項１３】
前記ＰＵＳＣＨ伝送パラメータが前記アップリンク最大伝送層数を含み、前記ユーザ装置が前記ＰＵＳＣＨ伝送パラメータと前記ＤＣＩに含まれるスケジューリング情報とに基づき、前記アップリンクＢＷＰで前記ＰＵＳＣＨを伝送することは、
前記ユーザ装置が前記アップリンク最大伝送層数と前記ＤＣＩに含まれるＴＲＩ情報に基づき、前記ＰＵＳＣＨを伝送するための伝送層数を確定すること、又は、前記ユーザ装置が前記アップリンク最大伝送層数と前記ＤＣＩに含まれるＳＲＳリソースインジケータ（ＳＲＩ）情報に基づき、前記ＰＵＳＣＨを伝送するための伝送層数を確定することと、
前記ユーザ装置が確定された前記伝送層数に基づいて前記アップリンクＢＷＰで前記ＰＵＳＣＨを伝送することとを含むことを特徴とする
請求項１０−１２のいずれか一項に記載の方法。
【請求項１４】
前記ＰＵＳＣＨ伝送パラメータが前記周波数選択性プリコーディング配置を含み、前記ユーザ装置が前記ＰＵＳＣＨ伝送パラメータと前記ＤＣＩに含まれるスケジューリング情報とに基づき、前記アップリンクＢＷＰで前記ＰＵＳＣＨを伝送することは、
前記ユーザ装置が前記周波数選択性プリコーディング配置と前記ＤＣＩに含まれるＰＭＩ情報とに基づき、前記ＰＵＳＣＨを伝送するためのプリコーディング行列を確定することと、確定された前記プリコーディング行列に基づいて前記アップリンクＢＷＰで前記ＰＵＳＣＨを伝送することとを含むことを特徴とする
請求項１０−１３のいずれか一項に記載の方法。
【請求項１５】
前記ＰＵＳＣＨ伝送パラメータが周波数選択性プリコーディングを許可するか否かの前記指示情報を含み、前記ユーザ装置が前記ＰＵＳＣＨ伝送パラメータと前記ＤＣＩに含まれるスケジューリング情報とに基づき、前記アップリンクＢＷＰで前記ＰＵＳＣＨを伝送することは、
前記ユーザ装置が周波数選択性プリコーディングを許可するか否かの前記指示情報と前記ＤＣＩに含まれるＳＲＩ情報とに基づき、前記ＰＵＳＣＨにおけるデータに対して周波数選択性プリコーディングを行う必要があるか否かを確定することと、確定された結果に基づいて前記アップリンクＢＷＰで前記ＰＵＳＣＨを伝送することとを含むことを特徴とする
請求項１０−１４のいずれか一項に記載の方法。
【請求項１６】
前記ＰＵＳＣＨ伝送パラメータが前記ＤＭＲＳ配置を含み、前記ユーザ装置が前記ＰＵＳＣＨ伝送パラメータと前記ＤＣＩに含まれるスケジューリング情報とに基づき、前記アップリンクＢＷＰで前記ＰＵＳＣＨを伝送することは、
前記ユーザ装置が前記ＤＭＲＳ配置と前記ＤＣＩに含まれるＤＭＲＳポート指示情報とに基づき、ＤＭＲＳに占有された物理リソースを確定することと、確定された前記物理リソースに基づいて前記アップリンクＢＷＰで前記ＰＵＳＣＨのＤＭＲＳを伝送することとを含むことを特徴とする
請求項１０−１５のいずれか一項に記載の方法。
【請求項１７】
前記ＰＵＳＣＨ伝送パラメータが前記ＤＭＲＳシーケンス配置を含み、前記ユーザ装置が前記ＰＵＳＣＨ伝送パラメータと前記ＤＣＩに含まれるスケジューリング情報とに基づき、前記アップリンクＢＷＰで前記ＰＵＳＣＨを伝送することは、
前記ユーザ装置が前記ＤＭＲＳシーケンス配置と前記ＤＣＩに含まれるＤＭＲＳスクランブリングシーケンスＩＤ指示情報とに基づき、ＤＭＲＳに採用されるシーケンスを確定することと、確定された前記シーケンスに基づいて前記アップリンクＢＷＰで前記ＰＵＳＣＨのＤＭＲＳを伝送することとを含むことを特徴とする
請求項１０−１５のいずれか一項に記載の方法。
【請求項１８】
前記ＰＵＳＣＨ伝送パラメータが前記アップリンク伝送方式を含み、前記ユーザ装置が前記ＰＵＳＣＨ伝送パラメータと前記ＤＣＩに含まれるスケジューリング情報とに基づき、前記アップリンクＢＷＰで前記ＰＵＳＣＨを伝送することは、
前記ユーザ装置が前記アップリンク伝送方式に基づいて前記ＤＣＩに含まれるＳＲＩ情報に示されるＳＲＳリソースを確定することと、
前記ユーザ装置が確定された前記ＳＲＳリソースのためのビーム又はプリコーディング行列に基づき、前記ＰＵＳＣＨを伝送するためのビーム又はプリコーディング行列を確定することと、
前記ユーザ装置が確定された前記ビーム又は前記プリコーディング行列に基づいて前記アップリンクＢＷＰで前記ＰＵＳＣＨを伝送することとを含むことを特徴とする
請求項１０−１７のいずれか一項に記載の方法。
【請求項１９】
前記ＰＵＳＣＨ伝送パラメータが前記周波数選択性プリコーディング配置を含み、前記ユーザ装置が前記ＰＵＳＣＨ伝送パラメータに基づき、前記アップリンクＢＷＰで前記ＰＵＳＣＨを伝送することは、
前記ユーザ装置が前記周波数選択性プリコーディング行列配置に基づき、前記ＰＵＳＣＨにおけるデータに対して周波数選択性プリコーディングを行う必要があるか否かを確定することと、確定された結果に基づいて前記アップリンクＢＷＰで前記ＰＵＳＣＨを伝送することとを含むことを特徴とする
請求項４−１８のいずれか一項に記載の方法。
【請求項２０】
前記ＰＵＳＣＨ伝送パラメータが前記ＤＭＲＳ配置を含み、前記ユーザ装置が前記ＰＵＳＣＨ伝送パラメータに基づき、前記アップリンクＢＷＰで前記ＰＵＳＣＨを伝送することは、
前記ユーザ装置が前記ＤＭＲＳ配置に基づいてＤＭＲＳに占有された物理リソース及び／又はＤＭＲＳに採用されるシーケンスを確定することと、確定された前記物理リソース及び／又は前記ＤＭＲＳに採用されるシーケンスに基づいて前記アップリンクＢＷＰで前記ＰＵＳＣＨのＤＭＲＳを伝送することとを含むことを特徴とする
請求項４−１９のいずれか一項に記載の方法。
【請求項２１】
ユーザ装置であって、処理ユニットと通信ユニットを備え、ここで、
前記処理ユニットが物理アップリンク共有チャネル（ＰＵＳＣＨ）を伝送するためのアップリンク帯域幅部分（ＢＷＰ）を確定するように構成され、
前記処理ユニットがさらに前記アップリンクＢＷＰに対応するＰＵＳＣＨ伝送パラメータを確定するように構成され、
前記処理ユニットがさらに前記ＰＵＳＣＨ伝送パラメータに基づいて前記通信ユニットを介して前記アップリンクＢＷＰで前記ＰＵＳＣＨを伝送するように構成される、前記ユーザ装置。
【請求項２２】
ユーザ装置であって、一つ又は複数のプロセッサ、一つ又は複数のメモリ、一つ又は複数の送受信機、及び一つ又は複数のプログラムを備え、前記一つ又は複数のプログラムが前記メモリに記憶され、前記一つ又は複数のプロセッサによって実行されるように構成され、前記プログラムが請求項１−２０のいずれか一項に記載される方法のステップを実行するための命令を含む、前記ユーザ装置。
【請求項２３】
コンピュータ可読記憶媒体であって、電子データ交換のためのコンピュータプログラムを記憶し、ここで、前記コンピュータプログラムがコンピュータに請求項１−２０のいずれか一項に記載される方法のステップを実行させるための命令を含む、前記コンピュータ可読記憶媒体。
【発明の詳細な説明】
【技術分野】
【０００１】
本出願は通信技術分野に関し、具体的にアップリンクデータ伝送方法及び関連装置に関する。
【背景技術】
【０００２】
新しいエアインタフェース（ＮＲ：Ｎｅｗ  Ｒａｄｉｏ）において、一つの搬送波が複数の帯域幅部分（ＢＷＰ：Ｂａｎｄｗｉｄｔｈ  Ｐａｒｔ）を含むことができる。ユーザ装置（ＵＥ：Ｕｓｅｒ  Ｅｑｕｉｐｍｅｎｔ）は、一つの時点で一つのアップリンクＢＷＰだけがアップリンク送信のために活性化されることができる。同様に、一つの時点で一つのダウンリンクＢＷＰだけがダウンリンク伝送のために活性化されることができる。ユーザ装置の現在のどのＢＷＰが活性化されるかはダウンリンク制御情報（ＤＣＩ：Ｄｏｗｎｌｉｎｋ  Ｃｏｎｔｒｏｌ  Ｉｎｆｏｒｍａｔｉｏｎ）によって指示され、ユーザ装置の伝送用のＢＷＰは一つの搬送波における複数のＢＷＰで動的に切り替えられていることができる。物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）伝送が複数のＢＷＰで動的に切り替えられていることができる場合、どのようにＰＵＳＣＨを伝送するかのパラメータ配置は解決すべき技術的問題である。
【発明の概要】
【発明が解決しようとする課題】
【０００３】
本出願の実施例はＰＵＳＣＨ伝送の柔軟性を向上させるためのアップリンクデータ伝送方法及び関連装置を提供する。
【課題を解決するための手段】
【０００４】
第一の態様では、本出願の実施例によるアップリンクデータ伝送方法は、
ユーザ装置がＰＵＳＣＨを伝送するためのアップリンクＢＷＰを確定することと、
前記ユーザ装置が前記アップリンクＢＷＰに対応するＰＵＳＣＨ伝送パラメータを確定することと、
前記ユーザ装置が前記ＰＵＳＣＨ伝送パラメータに基づいて前記アップリンクＢＷＰで前記ＰＵＳＣＨを伝送することとを含む。
【０００５】
第二の態様では、本出願の実施例によるユーザ装置は処理ユニットと通信ユニットを備え、ここで、
前記処理ユニットがＰＵＳＣＨを伝送するためのアップリンクＢＷＰを確定するように構成され、
前記処理ユニットがさらに前記アップリンクＢＷＰに対応するＰＵＳＣＨ伝送パラメータを確定するように構成され、
前記処理ユニットがさらに前記ＰＵＳＣＨ伝送パラメータに基づいて前記通信ユニットを介して前記アップリンクＢＷＰで前記ＰＵＳＣＨを伝送するように構成される。
【０００６】
第三の態様では、本出願の実施例によるユーザ装置は、一つ又は複数のプロセッサ、一つ又は複数のメモリ、一つ又は複数の送受信機、及び一つ又は複数のプログラムを備え、前記一つ又は複数のプログラムが前記メモリに記憶され、そして前記一つ又は複数のプロセッサによって実行されるように構成され、前記プログラムが第一の態様に記載される方法のステップを実行するための命令を含む。
【０００７】
第四の態様では、本出願の実施例によるコンピュータ可読記憶媒体は、電子データ交換のためのコンピュータプログラムを記憶し、ここで、前記コンピュータプログラムによりコンピュータが第一の態様で記載される方法の一部又は全てのステップを実行する。
【０００８】
第五の態様では、本出願の実施例によるコンピュータプログラム製品は、コンピュータプログラムを記憶する非一時的コンピュータ可読記憶媒体を含み、前記コンピュータプログラムがコンピュータに第一の態様に記載される方法の一部又は全てのステップを実行させるように動作されてもよい。該コンピュータプログラム製品は、一つのソフトウェアインストールパッケージであってもよい。
【０００９】
これから分かるように、本出願では、まず、ネットワーク装置はユーザ装置の各ＢＷＰに一つのＰＵＳＣＨ伝送パラメータをそれぞれ配置することができ、その後、ユーザ装置があるＢＷＰに動的に切り替えられて前記ＰＵＳＣＨを伝送する場合、ユーザ装置は該あるＢＷＰに対応するＰＵＳＣＨ伝送パラメータをＰＵＳＣＨ伝送のためのＰＵＳＣＨ伝送パラメータとすることができ、最後、ユーザ装置は該あるＢＷＰに対応するＰＵＳＣＨパラメータに基づいて該あるＢＷＰで前記ＰＵＳＣＨを伝送する。このようにして異なるＢＷＰでＳＲＳを伝送するために異なるＰＵＳＣＨ伝送パラメータを用いることができ、それによってＰＵＳＣＨ伝送の柔軟性が向上する。
【００１０】
本出願のこれらの態様又は他の態様は以下の実施例の説明からより容易に明らかになる。
【図面の簡単な説明】
【００１１】
【図１】本出願の実施例による無線通信システムのアーキテクチャ図である。
【図２】本出願の実施例に係るユーザ装置の構造図である。
【図３】本出願の実施例に係るネットワーク装置の構造図である。
【図４】本出願の実施例に係るアップリンクデータ伝送方法のフローチャートである。
【図５】本出願の実施例に係る別のユーザ装置の構造図である。
【図６】本出願の実施例に係る別のユーザ装置の構造図である。
【発明を実施するための形態】
【００１２】
本出願の実施例又は背景技術における技術的解決策をより明確に説明するために、以下に本出願の実施例又は背景技術で使用される必要がある図面を説明する。
【００１３】
本出願の実施形態部分で使用される用語は本出願の具体的な実施例を解釈することのみに用いられるが、本出願を限定することを意図しない。
【００１４】
本出願の明細書と特許請求の範囲及び前記図面中の用語「第一」、「第二」、「第三」と「第四」などは異なる対象を区別することに用いられるが、特定の順序を説明するためのものではない。また、用語「包括」と「有する」及びそれらのいかなる変形は、非排他的な包含をカバーすることを意図する。
【００１５】
図１に本出願に係る無線通信システムが示される。前記無線通信システムは長期進化型（ＬＴＥ：Ｌｏｎｇ  Ｔｅｒｍ  Ｅｖｏｌｕｔｉｏｎ）システムに限定されず、将来の進化する第五世代移動通信（５Ｇ：ｔｈｅ  ５ｔｈ  Ｇｅｎｅｒａｔｉｏｎ）システム、新しいエアインタフェース（ＮＲ）システム、マシンツーマシン（Ｍ２Ｍ：Ｍａｃｈｉｎｅ  ｔｏ  Ｍａｃｈｉｎｅ）システムなどであってもよい。図１に示すように、無線通信システム１００は一つ又は複数のネットワーク装置１０１と一つ又は複数のユーザ装置１０２を備えることができる。ここで、
ネットワーク装置１０１は基地局であってもよく、基地局が一つ又は複数のユーザ装置と通信することに用いられてもよいし、一部のユーザ装置の機能を有する一つ又は複数の基地局との通信（例えばマクロ基地局とマイクロ基地局、例えばアクセスポイント間の通信）に用いられてもよい。基地局は時分割同期符号分割多元接続（ＴＤ−ＳＣＤＭＡ）システムにおける基地局送受信ステーション（ＢＴＳ：Ｂａｓｅ  Ｔｒａｎｓｃｅｉｖｅｒ  Ｓｔａｔｉｏｎ）であってもよいし、ＬＴＥシステムにおける進化型基地局（ｅＮＢ：Ｅｖｏｌｕｔｉｏｎａｌ  Ｎｏｄｅ  Ｂ）、及び５Ｇシステム、新しいエアインタフェース（ＮＲ）システムにおける基地局であってもよい。また、基地局はアクセスポイント（ＡＰ：Ａｃｃｅｓｓ  Ｐｏｉｎｔ）、伝送ノート（Ｔｒａｎｓ  ＴＲＰ）、中央ユニット（ＣＵ：Ｃｅｎｔｒａｌ  Ｕｎｉｔ）又は他のネットワークエンティティであってもよく、そして以上のネットワークエンティティの機能のうちのいくつか又は全ての機能を含むことができる。
【００１６】
ユーザ装置１０２は無線通信システム１００全体に分布されてもよく、静止型であってもよいし、移動型であってもよい。本出願のいくつかの実施例では、端末１０２は移動装置、移動ステーション（ｍｏｂｉｌｅ  ｓｔａｔｉｏｎ）、移動ユニット（ｍｏｂｉｌｅ  ｕｎｉｔ）、Ｍ２Ｍ端末、無線ユニット、遠隔ユニット、ユーザエージェント、モバイルクライアントなどであってもよい。
【００１７】
具体的には、ネットワーク装置１０１はネットワーク装置コントローラ（示されない）の制御で、無線インタフェース１０３を介してユーザ装置１０２と通信することに用いられてもよい。いくつかの実施例では、前記ネットワーク装置コントローラはコアネットワークの一部であってもよいし、ネットワーク装置１０１に集積されてもよい。ネットワーク装置１０１とネットワーク装置１０１はブラックホール（ｂｌａｃｋｈａｕｌ）インタフェース１０４（例えばＸ２インタフェース）を介し、直接又は間接的に接地し、相互に通信することもできる。
【００１８】
ＮＲの従来の議論では、一つの搬送波が複数のＢＷＰを含むことができる。一つのユーザ装置１０２に対して、一つの時点で一つのアップリンクＢＷＰだけがアップリンク送信のために活性化されてもよい。一つの時点で一つのダウンリンクＢＷＰだけがダウンリンク伝送のために活性化されてもよい。ユーザ装置１０２のどのＢＷＰが現在活性化されるかはネットワーク装置１０１によってＤＣＩで示され、ユーザ装置１０２が伝送するためのＢＷＰは一つの搬送波における複数のＢＷＰで動的に切り替えられてもよい。ＰＵＳＣＨ伝送が複数のＢＷＰで動的に切り替えられてもよい場合、どのようにＰＵＳＣＨを伝送するかのパラメータ配置は解決すべき技術的問題である。
【００１９】
これから分かるように、本出願では、まず、ネットワーク装置１０１はユーザ装置１０２の各ＢＷＰに一つのＰＵＳＣＨ伝送パラメータをそれぞれ配置することができ、その後、ユーザ装置１０２があるＢＷＰに動的に切り替えられて前記ＰＵＳＣＨを伝送する場合、ユーザ装置１０２は該あるＢＷＰに対応するＰＵＳＣＨ伝送パラメータをＰＵＳＣＨ伝送のためのＰＵＳＣＨ伝送パラメータとすることができ、最後、ユーザ装置１０２は該あるＢＷＰに対応するＰＵＳＣＨパラメータに基づいて該あるＢＷＰでＰＵＳＣＨを伝送する。このようにして異なるＢＷＰでのＰＵＳＣＨ伝送には異なるＰＵＳＣＨ伝送パラメータを用いることができ、それによってＰＵＳＣＨ伝送の柔軟性が向上する。
【００２０】
説明すべきものとして、図１に示す無線通信システム１００は本出願の技術的解決策をより明確にするためのものだけであり、本出願に対する限定を構成せず、当業者は、ネットワークアーキテクチャの発展と新しいサービスシナリオの出現に伴い、本出願による技術的解決策が同様の技術的問題にも適用可能であることを理解することができる。
【００２１】
図２を参照すると、図２に本出願のいくつかの実施例によるユーザ装置２００が示される。図２に示すように、ユーザ装置２００は、一つ又は複数のユーザ装置プロセッサ２０１、メモリ２０２、通信インタフェース２０３、受信機２０５、送信機２０６、カプラー２０７、アンテナ２０８、ユーザインタフェース２０２、及び入出力モジュール（オーディオ入出力モジュール２１０、キー入力モジュール２１１及びディスプレイ２１２などを含む）を備えることができる。これらの部材はバス２０４又は他の方式によって接続されてもよく、図２はバスによって接続されることを例とする。ここで、
通信インタフェース２０３はユーザ装置２００と他の通信装置、例えばネットワーク装置との通信に用いられてもよい。具体的には、前記ネットワーク装置は図３に示すネットワーク装置３００であってもよい。具体的には、通信インタフェース２０３は長期進化型（ＬＴＥ）（４Ｇ）通信インタフェースであってもよいし、５Ｇ又は将来の新しいエアインタフェースの通信インタフェースであってもよい。無線通信インタフェースに限定されず、ユーザ装置２００に有線の通信インタフェース２０３、ローカルエリアアクセスネットワーク（ＬＡＮ：Ｌｏｃａｌ  Ａｃｃｅｓｓ  Ｎｅｔｗｏｒｋ）インタフェースが配置されてもよい。
【００２２】
送信機２０６はユーザ装置プロセッサ２０１から出力された信号に対する送信処理、例えば信号変調に用いられてもよい。受信機２０５はアンテナ２０８によって受信された移動通信信号に対する受信処理、例えば信号復調に用いられてもよい。本出願のいくつかの実施例では、送信機２０６と受信機２０５は一つの無線モデムとして見なされてもよい。ユーザ装置２００では、送信機２０６と受信機２０５の数はいずれも一つ又は複数であってもよい。アンテナ２０８は伝送線の電磁エネルギーを自由空間内の電磁波に変換し、又は自由空間内の電磁波を伝送線の電磁エネルギーに変換することに用いられてもよい。カプラー２０７はアンテナ３０８によって受信された移動通信信号を複数のチャネルに分割し、複数の受信機２０５に割り当てることに用いられる。
【００２３】
図２に示す送信機２０６と受信機２０５、ユーザ装置２００はさらに他の通信部材、例えばＧＰＳモジュール、ブルートゥース（Ｂｌｕｅｔｏｏｔｈ）モジュール、無線フィデリティ（Ｗｉ−Ｆｉ：Ｗｉｒｅｌｅｓｓ  Ｆｉｄｅｌｉｔｙ）モジュールなどを含むことができる。上述した無線通信信号に限定されなく、ユーザ装置２００はさらに他の無線通信信号、例えば衛星信号、短波信号などをサポートすることができる。無線通信に限定さず、ユーザ装置２００はさらに有線通信をサポートするための有線ネットワークインタフェース（例えばＬＡＮインタフェース）が配置されてもよい。
【００２４】
前記入出力モジュールはユーザ装置２００とユーザ／外部環境とのインタラクションを実現することに用いられてもよく、主にオーディオ入出力モジュール２１０、キー入力モジュール２１１及びディスプレイ２１２などを含むことができる。具体的には、前記入出力モジュールはさらにカメラ、タッチスクリーン及びセンサーなどを含むことができる。ここで、前記入出力モジュールはいずれもユーザインタフェース２０９を介してユーザ装置プロセッサ２０１と通信する。
【００２５】
メモリ２０２は端末プロセッサ２０１に結合され、様々なソフトウェアプログラム及び／又は複数の命令を記憶するように構成される。具体的には、メモリ２０２は高速ランダムアクセスメモリを含むことができ、そして不揮発性メモリ、例えば一つ又は複数の磁気ディスク記憶装置、フラッシュ装置又は他の不揮発性固体メモリデバイスを含むこともできる。メモリ２０２は操作システム（以下にシステムと略称される）、例えばＡＮＤＲＯＩＤ、ＩＯＳ、ＷＩＮＤＯＷＳ又はＬＩＮＵＸなどの組み込みオペレーティングシステムを記憶することができる。メモリ２０２はさらにネットワーク通信プログラムを記憶することができ、該ネットワーク通信プログラムが一つ又は複数の追加装置、一つ又は複数のユーザ装置、一つ又は複数のネットワーク装置と通信することに用いられてもよい。メモリ２０２はさらにユーザインタフェースプログラムを記憶することができ、該ユーザインタフェースプログラムがグラフィカルオペレータインタフェースによってアプリケーションプログラムの内容をリアルに表示し、そしてメニュー、ダイアログボックス及びキーなどの入力コントロールを介してアプリケーションプログラムに対するユーザの制御操作を受信することができる。
【００２６】
本出願のいくつかの実施例では、メモリ２０２はユーザ装置２００側での、本出願の一つ又は複数の実施例によるアップリンクデータ伝送方法の実施プログラムを記憶することに用いられてもよい。本出願の一つ又は複数の実施例によるアップリンクデータ伝送方法の実現について、以下の方法の実施例を参照する。
【００２７】
本出願のいくつかの実施例では、ユーザ装置プロセッサ２０１はコンピュータ可読命令を読み取って実行することに用いられてもよい。具体的には、ユーザ装置プロセッサ２０１はメモリ２１２に記憶されたプログラム、例えばユーザ装置２００側での、本出願の一つ又は複数の実施例によるアップリンクデータ伝送方法の実施プログラムを呼び出し、そして該プログラムに含まれる命令を実行することに用いられてもよい。
【００２８】
理解すべきものとして、ユーザ装置２００は移動装置、移動ステーション（ｍｏｂｉｌｅ  ｓｔａｔｉｏｎ）、移動ユニット（ｍｏｂｉｌｅ  ｕｎｉｔ）、無線ユニット、遠隔ユニット、ユーザエージェント、モバイルクライアントなどとして実施されてもよい。
【００２９】
説明すべきものとして、図２に示すユーザ装置２００は本出願の実施例の一つの実施形態だけであり、実際の応用において、ユーザ装置２００はさらにより多い又はより少ない部材を含むことができ、ここで限定されない。
【００３０】
図３を参照すると、図３に本出願のいくつかの実施例によるネットワーク装置３００が示される。図３に示すように、ネットワーク装置３００は、一つ又は複数のネットワーク装置プロセッサ３０１、メモリ３０２、通信インタフェース３０３、送信機３０５、受信機３０６、カプラー３０７とアンテナ３０８を備えることができる。これらの部材はバス３０４又は他の方式によって接続されてもよく、図４はバスによって接続されることを例とする。ここで、
通信インタフェース３０３はネットワーク装置３００と他の通信装置、例えばユーザ装置又は他のネットワーク装置との通信に用いられてもよい。具体的には、前記ユーザ装置は図２に示すユーザ装置２００であってもよい。具体的には、通信インタフェース３０３は長期進化型（ＬＴＥ）（４Ｇ）通信インタフェースであってもよいし、５Ｇ又は将来の新しいエアインタフェースの通信インタフェースであってもよい。無線通信インタフェースに限定されず、ネットワーク装置３００はさらに有線通信をサポートするための有線の通信インタフェース３０３が配置されてもよく、例えば一つのネットワーク装置３００と他のネットワーク装置３００の間のバックホール接続は有線通信接続であってもよい。
【００３１】
送信機３０５はネットワーク装置プロセッサ３０１から出力された信号に対する送信処理、例えば信号変調に用いられてもよい。受信機３０６はアンテナ３０８によって受信された移動通信信号に対する受信処理、例えば信号復調に用いられてもよい。本出願のいくつかの実施例では、送信機３０５と受信機３０６は一つの無線モデムとして見なされてもよい。ネットワーク装置３００では、送信機３０５と受信機３０６の数はいずも一つ又は複数であってもよい。アンテナ３０８は伝送線の電磁エネルギーを自由空間内の電磁波に変換し、又は自由空間内の電磁波を伝送線の電磁エネルギーに変換することに用いられてもよい。カプラー３０７は移動通信信号を複数のチャネルに分割し、複数の受信機３０６に割り当てることに用いられてもよい。
【００３２】
メモリ３０２はネットワーク装置プロセッサ３０１に結合され、様々なソフトウェアプログラム及び／又は複数の命令を記憶するように構成される。具体的には、メモリ３０２は高速ランダムアクセスメモリを含むことができ、そして不揮発性メモリ、例えば一つ又は複数の磁気ディスク記憶装置、フラッシュ装置又は他の不揮発性固体メモリデバイスを含むこともできる。メモリ３０２は操作システム（以下にシステムと略称される）、例えばｕＣＯＳ、ＶｘＷｏｒｋｓ、ＲＴＬｉｎｕｘなどの組み込みオペレーティングシステムを記憶することができる。メモリ４０２はさらにネットワーク通信プログラムを記憶することができ、該ネットワーク通信プログラムが一つ又は複数の追加装置、一つ又は複数の端末装置、一つ又は複数のネットワーク装置と通信することに用いられてもよい。
【００３３】
ネットワーク装置プロセッサ３０１は無線チャネル管理、コールと通信リンクの確立及び削除を行い、そして本制御エリアのユーザにセルハンドオーバ制御などを提供することに用いられてもよい。具体的には、ネットワーク装置プロセッサ３０１は管理／通信モジュール（ＡＭ／ＣＭ：Ａｄｍｉｎｉｓｔｒａｔｉｏｎ  Ｍｏｄｕｌｅ／Ｃｏｍｍｕｎｉｃａｔ  ｉｏｎ  Ｍｏｄｕｌｅ）（音声チャネル交換と情報交換のためのセンター）、基本モジュール（ＢＭ：Ｂａｓｉｃ  Ｍｏｄｕｌｅ）（コール処理、シグナリング処理、無線リソース管理、無線リンクの管理と回路メンテナンス機能を完了することに用いられる）、コード変換及び子多重化ユニット（ＴＣＳＭ：Ｔｒａｎｓｃｏｄｅｒ  ａｎｄ  ＳｕｂＭｕｌｔｉｐｌｅｘｅｒ）（多重化及び逆多重化とコード変換機能を完了することに用いられる）を備えることができる。
【００３４】
本出願の実施例では、メモリ３０２はネットワーク装置３００側での、本出願の一つ又は複数の実施例によるアップリンクデータ伝送方法の実施プログラムを記憶することに用いられてもよい。本出願の一つ又は複数の実施例によるアップリンクデータ伝送方法の実現について、以下の方法の実施例を参照する。
【００３５】
本出願の実施例では、ネットワーク装置プロセッサ３０１はコンピュータ可読命令を読み取って実行することに用いられてもよい。具体的には、ネットワーク装置プロセッサ３０１はメモリ３０２に記憶されたプログラム、例えばネットワーク装置３００側での、本出願の一つ又は複数の実施例によるアップリンクデータ伝送方法の実施プログラムを呼び出し、そして該プログラムに含まれる命令を実行することに用いられてもよい。
【００３６】
ネットワーク装置３００が基地局送受信ステーション、無線送受信機、一つの基本サービスセット（ＢＳＳ）、一つの拡張サービスセット（ＥＳＳ）、ＮｏｄｅＢ、ｅＮｏｄｅＢ、アクセスポイント又はＴＲＰなどとして実施されてもよいことは理解可能である。
【００３７】
説明すべきものとして、図３に示すネットワーク装置３００は本出願の実施例の一つの実施形態だけであり、実際の応用において、ネットワーク装置３００はさらにより多い又はより少ない部材を含むことができ、ここで限定されない。
【００３８】
前記無線通信システム１００、ユーザ装置２００及びネットワーク装置３００のそれぞれに対応する実施例に基づき、本出願の実施例はアップリンクデータ伝送方法を提供する。
【００３９】
図４を参照すると、図４は本出願の実施例に係るアップリンクデータ伝送方法のフローチャートであり、以下のステップを含む。
【００４０】
ステップ４０１において、ユーザ装置はＰＵＳＣＨを伝送するためのアップリンクＢＷＰを確定する。
【００４１】
本出願の一実施例では、ユーザ装置があるＢＷＰに動的に切り替えられて上記ＰＵＳＣＨを伝送する場合、上記ステップ４０１を実行する。
【００４２】
本出願の一実施例では、上記ステップ４０１の具体的な実施形態は以下の通りである。
【００４３】
ユーザ装置はＢＷＰ指示情報に基づき、上記ＰＵＳＣＨを伝送するためのアップリンクＢＷＰを確定し、ＰＵＳＣＨ伝送をスケジューリングするためのＤＣＩが上記ＢＷＰ指示情報を含む。
【００４４】
具体的には、ネットワーク装置はまず上位層シグナリングによりユーザ装置に複数のＢＷＰを予め配置し、次にこの複数のＢＷＰのうちの一つのＢＷＰが前記ＰＵＳＣＨの伝送に用いられることをＤＣＩにおけるＢＷＰ指示情報で示す。ここで、上位層シグナリングは無線リソース制御プロトコル（ＲＲＣ：Ｒａｄｉｏ  Ｒｅｓｏｕｒｃｅ  Ｃｏｎｔｒｏｌ）シグナリング、メディアアクセス制御（ＭＡＣ：Ｍｅｄｉｕｍ  Ａｃｃｅｓｓ  Ｃｏｎｔｒｏｌ）シグナリングなどを含むことができる。
【００４５】
例えば、ネットワーク装置はまずＲＲＣシグナリングによりユーザ装置に４つのＢＷＰとこの４つのＢＷＰに対応する帯域幅を予め配置し、次にネットワーク装置はＤＣＩを通じて、４つのＢＷＰのうちの一つのＢＷＰが前記ＰＵＳＣＨの伝送に用いられることを示し、該ＤＣＩが２ビットのＢＷＰ指示情報を含み、この２ビットのＢＷＰ指示情報がその中の前記ＰＵＳＣＨを伝送するためのＢＷＰを示すことに用いられると仮定される。例えば、この４つのＢＷＰがＢＷＰ１、ＢＷＰ２、ＢＷＰ３とＢＷＰ４であると仮定し、この２ビットのＢＷＰ指示情報が００である場合、現在の前記ＰＵＳＣＨを伝送するためのアップリンクＢＷＰはＢＷＰ１であり、また、この２ビットのＢＷＰ指示情報が１１である場合、現在の前記ＰＵＳＣＨを伝送するためのアップリンクＢＷＰはＢＷＰ４であり、これによって類推する。
【００４６】
本出願の一実施例では、ＤＣＩは活性化されたアップリンクＢＷＰでの非周期的ＳＲＳ伝送のトリガに同時に用いられてもよい。
【００４７】
ステップ４０２において、ユーザ装置は上記アップリンクＢＷＰに対応するＰＵＳＣＨ伝送パラメータを確定する。
【００４８】
本出願の一実施例では、前記方法はさらに、
ユーザ装置がネットワーク装置から送信された上位層シグナリングを受信し、該上位層シグナリングがユーザ装置の各アップリンクＢＷＰのために、対応するＰＵＳＣＨ伝送パラメータを配置することに用いられる。
【００４９】
上記ステップ４０２の具体的な実施形態は以下の通りである。
【００５０】
ユーザ装置が該上位層シグナリングに基づいて上記アップリンクＢＷＰに対応するＰＵＳＣＨ伝送パラメータを確定する。
【００５１】
ここで、該上位層情報はＲＲＣシグナリング、ＭＡＣシグナリングなどを含むことができる。
【００５２】
具体的には、ネットワーク装置はまず上位層シグナリングによりユーザ装置に４つのＢＷＰに対応する帯域幅を予め配置し、次に別の上位層シグナリングによりこの４つのＢＷＰのために、対応するＰＵＳＣＨ伝送パラメータをそれぞれ配置する。又は、ネットワーク装置は上位層シグナリングのみによりユーザ装置に４つのＢＷＰに対応する帯域幅を予め配置し、この４つのＢＷＰのために、対応するＰＵＳＣＨ伝送パラメータをそれぞれ配置する。
【００５３】
例えば、この４つのＢＷＰがＢＷＰ１、ＢＷＰ２、ＢＷＰ３とＢＷＰ４であり、ネットワーク装置は上位層シグナリングによりＢＷＰ１にＰＵＳＣＨ伝送パラメータ１、ＢＷＰ２にＰＵＳＣＨ伝送パラメータ２、ＢＷＰ３にＰＵＳＣＨ伝送パラメータ３、ＢＷＰ４にＰＵＳＣＨ伝送パラメータ４を配置すると仮定する。上記ＰＵＳＣＨを伝送するための上記アップリンクＢＷＰがＢＷＰ１である場合、ユーザ装置は該上位層シグナリングに応じてＢＷＰ１に対応するＰＵＳＣＨ伝送パラメータがＰＵＳＣＨ伝送パラメータ１であることを得ることができ、これによって類推する。
【００５４】
ステップ４０３において、前記ユーザ装置はアップリンクデータ伝送を行うように、上記ＰＵＳＣＨ伝送パラメータに基づいて上記アップリンクＢＷＰで前記ＰＵＳＣＨを伝送する。
【００５５】
本出願の一実施例では、上記ＰＵＳＣＨ伝送パラメータは、アップリンク伝送方式、コードブックサブセット制限配置、アップリンク最大伝送層数、周波数選択性プリコーディング配置と復調基準信号（ＤＭＲＳ：Ｄｅｍｏｄｕｌａｔｉｏｎ  Ｒｅｆｅｒｅｎｃｅ  Ｓｉｇｎａｌ）配置のうちの少なくとも一つを含む。
【００５６】
本出願の一実施例では、上記アップリンク伝送方式はコードブックに基づく伝送及び／又は非コードブックに基づく伝送を含む。
【００５７】
本出願の一実施例では、上記コードブックサブセット制限配置は約束されたコードブックで前記ＰＵＳＣＨに利用可能なコードブックサブセットを示すことに用いられる。
【００５８】
本出願の一実施例では、上記アップリンク最大伝送層数は前記ＰＵＳＣＨに利用可能なＲａｎｋ及び／又は利用可能なプリコーディング行列を確定することに用いられる。
【００５９】
本出願の一実施例では、上記周波数選択性プリコーディング配置は周波数選択性プリコーディングを許可するか否かの指示情報、及び／又は周波数選択性プリコーディングに使用されるサブバンドサイズ又は数配置を含む。
【００６０】
本出願の一実施例では、上記ＤＭＲＳ配置は前記ＰＵＳＣＨのＤＭＲＳのパラメータ配置を示すことに用いられる。本出願では、前記ＰＵＳＣＨのＤＭＲＳは前記ＰＵＳＣＨの復調を行うためのＤＭＲＳを指す。
【００６１】
本出願の一実施例では、上記ＤＭＲＳ配置はＤＭＲＳタイプ配置、ＤＭＲＳ時間周波数リソース配置、ＤＭＲＳシーケンス配置とＤＭＲＳ周波数ホッピング配置のうちの少なくとも一つを含む。
【００６２】
ここで、上記ＤＭＲＳタイプ配置はｔｙｐｅ１又はｔｒｐｅ２であってもよく、異なるｔｙｐｅのＤＭＲＳは異なる時間領域、周波数領域又はコード領域リソースを用いることができる。
【００６３】
ここで、上記ＤＭＲＳ時間周波数リソース配置はＤＭＲＳＳシンボル配置、例えばａｄｄｉｔｉｏｎａｌ  ＤＭＲＳ配置又はｃｏｍｂ配置などを含む。
【００６４】
ここで、上記ＤＭＲＳシーケンス配置はＤＭＲＳのスクランブリングＩＤなどの配置を含む。
【００６５】
ここで、上記ＤＭＲＳ周波数ホッピング配置はグループホッピング又はシーケンスホッピングなどの配置を含む。
【００６６】
本出願の一実施例では、ユーザ装置が上記ＰＵＳＣＨ伝送パラメータに基づいて上記アップリンクＢＷＰで前記ＰＵＳＣＨを伝送する具体的な実施形態は以下の通りである。
【００６７】
ユーザ装置が上記ＰＵＳＣＨ伝送パラメータと前記ＰＵＳＣＨをスケジューリングするためのＤＣＩに含まれるスケジューリング情報とに基づき、上記アップリンクＢＷＰで前記ＰＵＳＣＨを伝送する。
【００６８】
ここで、ＤＣＩに含まれるスケジューリング情報は、送信プリコーディング行列インジケータ（ＴＰＭＩ：Ｔｒａｎｓｍｉｔｔｅｄ  Ｐｒｅｃｏｄｉｎｇ  Ｍａｔｒｉｘ  Ｉｎｄｉｃａｔｏｒ）情報、送信ランクインジケータ（ＴＲＩ：Ｔｒａｎｓｍｉｔｔｅｄ  Ｒａｎｋ  Ｉｎｄｉｃａｔｉｏｎ）情報、プリコーディング行列インジケータ（ＰＭＴ：Ｐｒｅｃｏｄｉｎｇ  Ｍａｔｒｉｘ  Ｉｎｄｉｃａｔｏｒ）情報、ＳＲＳリソースインジケータ（ＳＲＩ：ＳＲＳ  ｒｅｓｏｕｒｃｅ  ｉｎｄｉｃａｔｉｏｎ）情報、ＤＭＲＳポート指示情報、ＤＭＲＳスクランブリングシーケンスＩＤ指示情報のうちの少なくとも一つを含む。
【００６９】
本出願の一実施例では、上記ＰＵＳＣＨ伝送パラメータがアップリンク伝送方式を含み、ユーザ装置が上記ＰＵＳＣＨ伝送パラメータと上記ＤＣＩに含まれるスケジューリング情報とに基づき、上記アップリンクＢＷＰで前記ＰＵＳＣＨを伝送する具体的な実施形態は以下の通りである。
【００７０】
ユーザ装置は上記アップリンク伝送方式に基づいて上記ＤＣＩにＴＲＩ情報とＴＰＭＩ情報が含まれるか否かを確定する。
【００７１】
上記ＤＣＩに上記ＴＲＩ情報と上記ＴＰＭＩ情報が含まれる場合、ユーザ装置は確定された上記ＴＲＩ情報と上記ＴＰＭＩに基づいて上記アップリンクＢＷＰで前記ＰＵＳＣＨを伝送する。
【００７２】
具体的には、上記アップリンク伝送方式がコードブックに基づく伝送である場合、上記ＤＣＩにＴＲＩ情報とＴＰＭＩ情報が含まれることを示し、ユーザ装置は上記ＴＲＩ情報と上記ＴＰＭＩ情報に基づいて前記ＰＵＳＣＨの伝送層数と用いられるプリコーディング行列を確定し、確定された伝送層数と用いられるプリコーディング行列に基づいて前記上記ＢＷＰで前記ＰＵＳＣＨを伝送する必要がある。
【００７３】
また、上記アップリンク伝送方式が非コードブックに基づく伝送である場合、上記ＤＣＩにＴＲＩ情報とＴＰＭＩ情報が含まれないことを示し、ユーザ装置は上記ＤＣＩにおけるＳＲＩ指示情報に基づいて前記ＰＵＳＣＨの伝送層数と用いられるプリコーディング行列を確定し、確定された伝送層数と用いられるプリコーディング行列に基づいて前記上記ＢＷＰで前記ＰＵＳＣＨを伝送する必要がある。
【００７４】
本出願の一実施例では、上記ＰＵＳＣＨ伝送パラメータがコードブックサブセット制限配置を含み、ユーザ装置が上記ＰＵＳＣＨ伝送パラメータと上記ＤＣＩに含まれるスケジューリング情報とに基づき、上記アップリンクＢＷＰで前記ＰＵＳＣＨを伝送する具体的な実施形態は以下の通りである。
【００７５】
ユーザ装置は上記コードブックサブセット制限配置に基づき、約束されたコードブックからターゲットコードブックサブセットを確定する。
【００７６】
ユーザ装置は上記ＤＣＩに含まれるＰＭＩ情報に基づき、上記ターゲットコードブックサブセットから前記ＰＵＳＣＨを伝送するためのプリコーディング行列を確定する。
【００７７】
ユーザ装置は確定された上記プリコーディング行列に基づいて前記アップリンクＢＷＰで前記ＰＵＳＣＨを伝送する。
【００７８】
例えば、約束されたコードブックがそれぞれ完全相関、部分相関、非相関の３つのＵＥアンテナ関連機能に対応する３つのコードブックサブセット、例えばコードブックサブセット１、コードブックサブセット２とコードブックサブセット３を得ることができると仮定する。コードブックサブセット制限配置がコードブックサブセット１を示す場合、ユーザ装置はコードブックサブセット１をターゲットコードサブセットとして確定する。ターゲットコードブックサブセットが４つのプリコーディング行列を含み、この４つのプリコーディング行列がプリコーディング行列１、プリコーディング行列２、プリコーディング行列３とプリコーディング行列４であると仮定する。ＰＭＩ情報がプリコーディング行列４を示す場合、ユーザ装置はプリコーディング行列４を前記ＰＵＳＣＨを伝送するためのプリコーディング行列として確定する。最後、ユーザ装置はプリコーディング行列４に基づいて前記アップリンクＢＷＰで前記ＰＵＳＣＨを伝送する。
【００７９】
本出願の一実施例では、上記ＰＵＳＣＨ伝送パラメータがアップリンク最大伝送層数を含み、ユーザ装置が上記ＰＵＳＣＨ伝送パラメータと上記ＤＣＩに含まれるスケジューリング情報とに基づき、上記アップリンクＢＷＰで前記ＰＵＳＣＨを伝送する具体的な実施形態は以下の通りである。
【００８０】
ユーザ装置は上記アップリンク最大伝送層数と上記ＤＣＩに含まれるＴＲＩ情報に基づき、前記ＰＵＳＣＨを伝送するための伝送層数を確定し、又は、ユーザ装置は上記アップリンク最大伝送層数と前記ＤＣＩに含まれるＳＲＩ情報とに基づき、前記ＰＵＳＣＨを伝送するための伝送層数を確定する。
【００８１】
ユーザ装置は確定された上記伝送層数に基づいて上記アップリンクＢＷＰで前記ＰＵＳＣＨを伝送する。
【００８２】
本出願の一実施例では、上記ＰＵＳＣＨ伝送パラメータが周波数選択性プリコーディング配置を含み、ユーザ装置が上記ＰＵＳＣＨ伝送パラメータと上記ＤＣＩに含まれるスケジューリング情報とに基づき、上記アップリンクＢＷＰで前記ＰＵＳＣＨを伝送する具体的な実施形態は以下の通りである。
【００８３】
ユーザ装置は上記周波数選択性プリコーディング配置と上記ＤＣＩに含まれるＰＭＩ情報とに基づき、前記ＰＵＳＣＨを伝送するためのプリコーディング行列を確定する。
【００８４】
ユーザ装置は確定された上記プリコーディング行列に基づいて上記アップリンクＢＷＰで前記ＰＵＳＣＨを伝送する。
【００８５】
具体的には、上記周波数選択性プリコーディング配置が周波数選択性プリコーディングを許可するか否かの指示情報を含む場合、ユーザ装置が周波数選択性プリコーディングを許可するか否かの該指示情報に基づき、上記ＤＣＩに含まれるＰＭＩ情報が帯域幅ＰＭＩ又はサブバンドＰＭＩを示すことに用いられるかを確定し、その後ユーザ装置が該ＰＭＩ指示情報に含まれる帯域幅ＰＭＩ又はサブバンドＰＭＩに基づき、約束されたコードブックからプリコーディング行列を確定し、確定されたプリコーディング行列が上記アップリンクＢＷＰでＰＵＳＣＨを伝送することに用いられることを確定することを示す。例えば、前記指示情報が周波数選択性プリコーディングを許可することを示す場合、端末は上記ＤＣＩに含まれるＰＭＩ情報がサブバンドＰＭＩを示すことに用いられることを確定し、前記指示情報が周波数選択性プリコーディングを許可しないことを示す場合、端末は上記ＤＣＩに含まれるＰＭＩ情報が帯域幅ＰＭＩを示すことに用いられることを確定する。
【００８６】
上記周波数選択性プリコーディング配置が周波数選択性プリコーディングに使用されるサブバンドサイズ又は数配置を含む場合、ユーザ装置が該周波数選択性プリコーディングに使用されるサブバンドサイズ又は数配置に基づき、上記ＤＣＩに含まれるＰＭＩ情報に示されるサブバンドＰＭＩを確定し、その後ユーザ装置が該サブバンドＰＭＩに基づき、約束されたコードブックから各サブバンドにおけるプリコーディング行列を確定し、確定された各サブバンドにおけるプリコーディング行列が上記アップリンクＢＷＰでＰＵＳＣＨを伝送することに用いられることを示す。
【００８７】
本出願の一実施例では、上記ＰＵＳＣＨ伝送パラメータが周波数選択性プリコーディング行列を許可するか否かの指示情報を含み、ユーザ装置が上記ＰＵＳＣＨ伝送パラメータと上記ＤＣＩに含まれるスケジューリング情報とに基づき、上記アップリンクＢＷＰで前記ＰＵＳＣＨを伝送する具体的な実施形態は以下の通りである。
【００８８】
ユーザ装置は上記ＤＣＩに含まれるＳＲＩ情報と周波数選択性プリコーディング行列を許可するか否かの上記指示情報に基づき、前記ＰＵＳＣＨにおけるデータに対して周波数選択性プリコーディングを行う必要があるか否かを確定する。
【００８９】
ユーザ装置は確定された結果に基づいて上記アップリンクＢＷＰで前記ＰＵＳＣＨを伝送する。
【００９０】
具体的には、上記ＤＣＩに含まれるＳＲＩ指示情報に示されるＳＲＳリソースのポート数が４以上である場合、ユーザ装置は周波数選択性プリコーディング行列を許可するか否かの上記指示情報に基づき、前記ＰＵＳＣＨにおけるデータに対して周波数選択性プリコーディングを行う必要があるか否かを確定する。最後、ユーザ装置は確定された結果に基づいて上記アップリンクＢＷＰで前記ＰＵＳＣＨを伝送し、例えば確定された結果が前記ＰＵＳＣＨにおけるデータに対して周波数選択性プリコーディングを行う必要があることである場合、ユーザ装置は前記ＰＵＳＣＨを伝送する前に、まず前記ＰＵＳＣＨにおけるデータに対して周波数選択性プリコーディングを行い、次に前記ＰＵＳＣＨを伝送し、これによって類推する。例えば確定された結果が前記ＰＵＳＣＨにおけるデータに対して周波数選択性プリコーディングを行う必要がないことである場合、ユーザ装置は前記ＰＵＳＣＨを伝送する前に、まず前記ＰＵＳＣＨにおけるデータに対して広帯域プリコーディングを行い、次に前記ＰＵＳＣＨを伝送し、これによって類推する。
【００９１】
また、上記ＤＣＩに含まれるＳＲＩ情報に示されるＳＲＳリソースのポート数が４未満である場合、ユーザ装置は前記ＰＵＳＣＨにおけるデータに対して周波数選択性プリコーディングを行う必要がないことを確定し、前記ＰＵＳＣＨにおけるデータに対して帯域幅プリコーディングを行い、その後前記ＰＵＳＣＨを伝送する必要がある。
【００９２】
本出願の一実施例では、上記ＰＵＳＣＨ伝送パラメータがＤＭＲＳ配置を含み、ユーザ装置が上記ＰＵＳＣＨ伝送パラメータと上記ＤＣＩに含まれるスケジューリング情報とに基づき、上記アップリンクＢＷＰで前記ＰＵＳＣＨを伝送する具体的な実施形態は以下の通りである。
【００９３】
ユーザ装置は上記ＤＭＲＳ配置と上記ＤＣＩに含まれるＤＭＲＳポート指示情報に基づき、ＤＭＲＳに占有された物理リソースを確定し、ユーザ装置は確定された上記物理リソースに基づいて上記アップリンクＢＷＰで前記ＰＵＳＣＨのＤＭＲＳを伝送する。
【００９４】
さらに、上記ＤＭＲＳ配置がＤＭＲＳタイプ配置を含み、ユーザ装置は上記ＤＭＲＳ配置と上記ＤＣＩに含まれるＤＭＲＳポート指示情報とに基づき、ＤＭＲＳに占有された物理リソースを確定する具体的な実施形態は以下の通りである。
【００９５】
ユーザ装置は上記ＤＭＲＳタイプ配置に基づいてＤＭＲＳタイプを確定し、ユーザ装置は該ＤＭＲＳタイプに対応するＤＭＲＳ指示情報マッピングテーブル、及び前記ＤＭＲＳポート指示情報に基づき、ＤＭＲＳのためのアンテナポートと占有された物理リソースを確定する。
【００９６】
さらに、上記ＤＭＲＳ配置が時間周波数リソース配置を含み、ユーザ装置が上記ＤＭＲＳ配置と上記ＤＣＩに含まれるＤＭＲＳポート指示情報とに基づき、ＤＭＲＳに占有された物理リソースを確定する具体的な実施形態は以下の通りである。
【００９７】
ユーザ装置は上記時間周波数リソース配置に基づいてＤＭＲＳ最大シンボル数を確定し、ユーザ装置は該ＤＭＲＳ最大シンボル数に対応するＤＭＲＳ指示情報マッピングテーブル、及び前記ＤＭＲＳポート指示情報に基づき、ＤＭＲＳのためのアンテナポートと占有された物理リソースを確定する。
【００９８】
本出願の一実施例では、上記ＰＵＳＣＨ伝送パラメータがＤＭＲＳシーケンス配置を含み、ユーザ装置が上記ＰＵＳＣＨ伝送パラメータと上記ＤＣＩに含まれるスケジューリング情報とに基づき、上記アップリンクＢＷＰで前記ＰＵＳＣＨを伝送する具体的な実施形態は以下の通りである。
【００９９】
ユーザ装置は上記ＤＭＲＳシーケンス配置と上記ＤＣＩに含まれるＤＭＲＳスクランブリングシーケンスＩＤ指示情報とに基づき、ＤＭＲＳに採用されるシーケンスを確定する。
【０１００】
ユーザ装置は確定された上記シーケンスに基づいて前記アップリンクＢＷＰで前記ＤＭＲＳを伝送する。
【０１０１】
具体的には、上記ＤＭＲＳシーケンス配置が２つの候補スクランブルシーケンスＩＤを含み、上記ＤＣＩに１ビットのスクランブルシーケンスＩＤ指示情報が含まれ、この１ビットのスクランブルシーケンスＩＤ指示情報がこの２つの候補スクランブルシーケンスＩＤから一つのスクランブルシーケンスＩＤを確定し、ＤＭＲＳシーケンスを生成することに用いられる。
【０１０２】
本出願の一実施例では、上記ＰＵＳＣＨ伝送パラメータがアップリンク伝送方式を含み、ユーザ装置が上記ＰＵＳＣＨ伝送パラメータと上記ＤＣＩに含まれるスケジューリング情報とに基づき、上記アップリンクＢＷＰで前記ＰＵＳＣＨを伝送する具体的な実施形態は以下の通りである。
【０１０３】
ユーザ装置は上記アップリンク伝送方式に基づいて上記ＤＣＩに含まれるＳＲＩ情報に示されるＳＲＳリソースを確定する。
【０１０４】
ユーザ装置は確定された上記ＳＲＳリソースのためのビーム又はプリコーディング行列に基づき、前記ＰＵＳＣＨを伝送するためのビーム又はプリコーディング行列を確定する。
【０１０５】
ユーザ装置は確定された上記ビーム又は上記プリコーディング行列に基づいて上記アップリンクＢＷＰで前記ＰＵＳＣＨを伝送する。
【０１０６】
具体的には、上記アップリンク伝送方式がコードブックに基づく伝送である場合、上記ＤＣＩに含まれるＳＲＩ情報が一つの予め配置されたＳＲＳリソースセットにおける一つのＳＲＳリソースを示すことに用いられ、ユーザ装置は該ＳＲＳリソースでＳＲＳを伝送するための送信ビームを、前記ＰＵＳＣＨを伝送するための送信ビームとし、その後確定された送信ビームに基づいて上記アップリンクＢＷＰで前記ＰＵＳＣＨを伝送する。
【０１０７】
上記アップリンク伝送方式が非コードブックに基づく伝送である場合、上記ＤＣＩに含まれるＳＲＩ情報が一つの予め配置されたＳＲＳリソースセットにおける一つ又は複数のＳＲＳリソースを示すことに用いられ、ユーザ装置は該一つ又は複数のＳＲＳリソースでＳＲＳを伝送するための送信ビーム及び／又はプリコーディング行列を、前記ＰＵＳＣＨを伝送するための送信ビーム及び／又はプリコーディング行列とし、その後確定された送信ビーム及び／又はプリコーディング行列に基づいて上記アップリンクＢＷＰで前記ＰＵＳＣＨを伝送する。
【０１０８】
本出願の一実施例では、上記ＰＵＳＣＨ伝送パラメータが周波数選択性プリコーディング配置を含み、ユーザ装置が上記ＰＵＳＣＨ伝送パラメータに基づき、上記アップリンクＢＷＰで前記ＰＵＳＣＨを伝送する具体的な実施形態は以下の通りである。
【０１０９】
ユーザ装置は上記周波数選択性プリコーディング行列配置に基づき、前記ＰＵＳＣＨにおけるデータに対して周波数選択性プリコーディングを行う必要があるか否かを確定し、ユーザ装置は確定された結果に基づいて上記アップリンクＢＷＰで前記ＰＵＳＣＨを伝送する。
【０１１０】
本出願の一実施例では、上記ＰＵＳＣＨ伝送パラメータがＤＭＲＳ配置を含み、ユーザ装置が上記ＰＵＳＣＨ伝送パラメータに基づき、上記アップリンクＢＷＰで前記ＰＵＳＣＨを伝送する具体的な実施形態は以下の通りである。
【０１１１】
ユーザ装置が上記ＤＭＲＳ配置に基づいてＤＭＲＳに占有された物理リソース及び／又はＤＭＲＳに採用されるシーケンス、及び確定された上記物理リソース及び／又は上記ＤＭＲＳに採用されるシーケンスに基づいて上記アップリンクＢＷＰで前記ＰＵＳＣＨのＤＭＲＳを伝送する。例えばユーザ装置は上記ＤＭＲＳ配置におけるシンボル数配置に基づき、ＤＭＲＳに占有されたＯＦＤＭシンボルを確定する。
【０１１２】
これから分かるように、本出願では、まず、ネットワーク装置はユーザ装置の各ＢＷＰに一つのＰＵＳＣＨ伝送パラメータをそれぞれ配置することができ、その後、ユーザ装置があるＢＷＰに動的に切り替えられて前記ＰＵＳＣＨを伝送する場合、ユーザ装置は該あるＢＷＰに対応するＰＵＳＣＨ伝送パラメータをＰＵＳＣＨ伝送のためのＰＵＳＣＨ伝送パラメータとすることができ、最後、ユーザ装置は該あるＢＷＰに対応するＰＵＳＣＨパラメータに基づいて該あるＢＷＰで前記ＰＵＳＣＨを伝送する。このようにして異なるＢＷＰでＳＲＳを伝送するために異なるＰＵＳＣＨ伝送パラメータを用いることができ、それによってＰＵＳＣＨ伝送の柔軟性が向上する。
【０１１３】
説明すべきものとして、本出願で記載される例は解釈に用いられるものだけであり、限定を構成しない。
【０１１４】
図５を参照すると、図５は本出願の実施例によるユーザ装置５００であり、該ユーザ装置５００が一つ又は複数のプロセッサ、一つ又は複数のメモリ、一つ又は複数の送受信機、及び一つ又は複数のプログラムを含む。
【０１１５】
前記一つ又は複数のプログラムは前記メモリに記憶され、且つ前記一つ又は複数のプロセッサによって実行されるように構成される。
【０１１６】
前記プログラムは以下のステップを実行するための命令を含む。
【０１１７】
ＰＵＳＣＨを伝送するためのアップリンクＢＷＰを確定する。
【０１１８】
前記アップリンクＢＷＰに対応するＰＵＳＣＨ伝送パラメータを確定する。
【０１１９】
前記ＰＵＳＣＨ伝送パラメータに基づいて前記アップリンクＢＷＰで前記ＰＵＳＣＨを伝送する。
【０１２０】
本出願の一実施例では、ＰＵＳＣＨを伝送するためのアップリンクＢＷＰを確定する方面において、前記プログラムは具体的に以下のステップを実行するための命令を含む。
【０１２１】
ＢＷＰ指示情報に基づき、前記ＰＵＳＣＨを伝送するためのアップリンクＢＷＰを確定し、前記ＰＵＳＣＨをスケジューリングするためのＤＣＩが前記ＢＷＰ指示情報を含む。
【０１２２】
本出願の一実施例では、前記プログラムはさらに以下のステップを実行するための命令を含む。
【０１２３】
ネットワーク装置から送信された上位層シグナリングを受信し、前記上位層シグナリングが前記ユーザ装置の各アップリンクＢＷＰのために、対応するＰＵＳＣＨ伝送パラメータを配置することに用いられる。
【０１２４】
前記アップリンクＢＷＰに対応するＰＵＳＣＨ伝送パラメータを確定する方面において、前記プログラムは具体的に以下のステップを実行するための命令を含む。
【０１２５】
前記上位層シグナリングに基づいて前記アップリンクＢＷＰに対応するＰＵＳＣＨ伝送パラメータを確定する。
【０１２６】
本出願の一実施例では、前記ＰＵＳＣＨ伝送パラメータは、アップリンク伝送方式、コードブックサブセット制限配置、アップリンク最大伝送層数、周波数選択性プリコーディング配置とＤＭＲＳ配置のうちの少なくとも一つを含む。
【０１２７】
本出願の一実施例では、前記アップリンク伝送方式はコードブックに基づく伝送及び／又は非コードブックに基づく伝送を含む。
【０１２８】
本出願の一実施例では、前記コードブックサブセット制限配置は約束されたコードブックで前記ＰＵＳＣＨに利用可能なコードブックサブセットを示すことに用いられる。
【０１２９】
本出願の一実施例では、前記アップリンク最大伝送層数は前記ＰＵＳＣＨに利用可能なＲａｎｋ及び／又は利用可能なプリコーディング行列を確定することに用いられる。
【０１３０】
本出願の一実施例では、前記周波数選択性プリコーディング配置は周波数選択性プリコーディングを許可するか否かの指示情報、及び／又は周波数選択性プリコーディングに使用されるサブバンドサイズ又は数配置を含む。
【０１３１】
本出願の一実施例では、前記ＤＭＲＳ配置は前記ＰＵＳＣＨのＤＭＲＳのパラメータ配置を示すことに用いられ、前記ＤＭＲＳ配置はＤＭＲＳタイプ配置、ＤＭＲＳ時間周波数リソース配置、ＤＭＲＳシーケンス配置とＤＭＲＳ周波数ホッピング配置のうちの少なくとも一つを含む。
【０１３２】
本出願の一実施例では、前記ＰＵＳＣＨ伝送パラメータに基づいて前記アップリンクＢＷＰで前記ＰＵＳＣＨを伝送する方面において、前記プログラムは具体的に以下のステップを実行するための命令を含む。
【０１３３】
前記ＰＵＳＣＨ伝送パラメータと前記ＰＵＳＣＨをスケジューリングするためのＤＣＩに含まれるスケジューリング情報とに基づき、前記アップリンクＢＷＰで前記ＰＵＳＣＨを伝送する。
【０１３４】
本出願の一実施例では、前記ＰＵＳＣＨ伝送パラメータが前記アップリンク伝送方式を含み、前記ＰＵＳＣＨ伝送パラメータと前記ＤＣＩに含まれるスケジューリング情報とに基づき、前記アップリンクＢＷＰで前記ＰＵＳＣＨを伝送する方面において、前記プログラムは具体的に以下のステップを実行するための命令を含む。
【０１３５】
前記アップリンク伝送方式に基づいて前記ＤＣＩにＴＲＩ情報とＴＰＭＩ情報が含まれるか否かを確定する。
【０１３６】
前記ＤＣＩに前記ＴＲＩとＴＰＭＩ情報が含まれる場合、確定された前記ＴＲＩとＴＰＭＩ情報に基づいて前記アップリンクＢＷＰで前記ＰＵＳＣＨを伝送する。
【０１３７】
本出願の一実施例では、前記ＰＵＳＣＨ伝送パラメータが前記コードブックサブセット制限配置を含み、前記ＰＵＳＣＨ伝送パラメータと前記ＤＣＩに含まれるスケジューリング情報とに基づき、前記アップリンクＢＷＰで前記ＰＵＳＣＨを伝送する方面において、前記プログラムは具体的に以下のステップを実行するための命令を含む。
【０１３８】
前記コードブックサブセット制限配置に基づき、約束されたコードブックからターゲットコードブックサブセットを確定する。
【０１３９】
前記ＤＣＩに含まれるＰＭＩ情報に基づき、前記ターゲットコードブックサブセットから前記ＰＵＳＣＨを伝送するためのプリコーディング行列を確定する。
【０１４０】
確定された前記プリコーディング行列に基づいて前記アップリンクＢＷＰで前記ＰＵＳＣＨを伝送する。
【０１４１】
本出願の一実施例では、前記ＰＵＳＣＨ伝送パラメータが前記アップリンク最大伝送層数を含み、前記ＰＵＳＣＨ伝送パラメータと前記ＤＣＩに含まれるスケジューリング情報とに基づき、前記アップリンクＢＷＰで前記ＰＵＳＣＨを伝送する方面において、前記プログラムは具体的に以下のステップを実行するための命令を含む。
【０１４２】
前記アップリンク最大伝送層数と前記ＤＣＩに含まれるＴＲＩ情報に基づき、前記ＰＵＳＣＨを伝送するための伝送層数を確定し、又は、前記アップリンク最大伝送層数と前記ＤＣＩに含まれるＳＲＩ情報とに基づき、前記ＰＵＳＣＨを伝送するための伝送層数を確定する。
【０１４３】
確定された前記伝送層数に基づいて前記アップリンクＢＷＰで前記ＰＵＳＣＨを伝送する。
【０１４４】
本出願の一実施例では、前記ＰＵＳＣＨ伝送パラメータが前記周波数選択性プリコーディング配置を含み、前記ＰＵＳＣＨ伝送パラメータと前記ＤＣＩに含まれるスケジューリング情報とに基づき、前記アップリンクＢＷＰで前記ＰＵＳＣＨを伝送する方面において、前記プログラムは具体的に以下のステップを実行するための命令を含む。
【０１４５】
前記周波数選択性プリコーディング配置と前記ＤＣＩに含まれるＰＭＩ情報とに基づき、前記ＰＵＳＣＨを伝送するためのプリコーディング行列を確定する。
【０１４６】
確定された前記プリコーディング行列に基づいて前記アップリンクＢＷＰで前記ＰＵＳＣＨを伝送する。
【０１４７】
本出願の一実施例では、前記ＰＵＳＣＨ伝送パラメータが周波数選択性プリコーディングを許可するか否かの前記指示情報を含み、前記ＰＵＳＣＨ伝送パラメータと前記ＤＣＩに含まれるスケジューリング情報とに基づき、前記アップリンクＢＷＰで前記ＰＵＳＣＨを伝送する方面において、前記プログラムは具体的に以下のステップを実行するための命令を含む。
【０１４８】
周波数選択性プリコーディングを許可するか否かの前記指示情報と前記ＤＣＩに含まれるＳＲＩ情報とに基づき、前記ＰＵＳＣＨにおけるデータに対して周波数選択性プリコーディングを行う必要があるか否かを確定する。
【０１４９】
確定された結果に基づいて前記アップリンクＢＷＰで前記ＰＵＳＣＨを伝送する。
【０１５０】
本出願の一実施例では、前記ＰＵＳＣＨ伝送パラメータが前記ＤＭＲＳ配置を含み、前記ＰＵＳＣＨ伝送パラメータと前記ＤＣＩに含まれるスケジューリング情報とに基づき、前記アップリンクＢＷＰで前記ＰＵＳＣＨを伝送する方面において、前記プログラムは具体的に以下のステップを実行するための命令を含む。
【０１５１】
前記ＤＭＲＳ配置と前記ＤＣＩに含まれるＤＭＲＳポート指示情報とに基づき、ＤＭＲＳに占有された物理リソースを確定する。
【０１５２】
確定された前記物理リソースに基づいて前記アップリンクＢＷＰで前記ＰＵＳＣＨのＤＭＲＳを伝送する。
【０１５３】
本出願の一実施例では、前記ＰＵＳＣＨ伝送パラメータが前記ＤＭＲＳシーケンス配置を含み、前記ＰＵＳＣＨ伝送パラメータと前記ＤＣＩに含まれるスケジューリング情報とに基づき、前記アップリンクＢＷＰで前記ＰＵＳＣＨを伝送する方面において、前記プログラムは具体的に以下のステップを実行するための命令を含む。
【０１５４】
前記ＤＭＲＳシーケンス配置と前記ＤＣＩに含まれるＤＭＲＳスクランブリングシーケンスＩＤ指示情報とに基づき、ＤＭＲＳに採用されるシーケンスを確定する。
【０１５５】
確定された前記シーケンスに基づいて前記アップリンクＢＷＰで前記ＤＭＲＳを伝送する。
【０１５６】
本出願の一実施例では、前記ＰＵＳＣＨ伝送パラメータが前記アップリンク伝送方式を含み、前記ＰＵＳＣＨ伝送パラメータと前記ＤＣＩに含まれるスケジューリング情報とに基づき、前記アップリンクＢＷＰで前記ＰＵＳＣＨを伝送する方面において、前記プログラムは具体的に以下のステップを実行するための命令を含む。
【０１５７】
前記アップリンク伝送方式に基づいて前記ＤＣＩに含まれるＳＲＩ情報に示されるＳＲＳリソースを確定する。
【０１５８】
確定された前記ＳＲＳリソースのためのビーム又はプリコーディング行列に基づき、前記ＰＵＳＣＨを伝送するためのビーム又はプリコーディング行列を確定する。
【０１５９】
確定された前記ビーム又は前記プリコーディング行列に基づいて前記アップリンクＢＷＰで前記ＰＵＳＣＨを伝送する。
【０１６０】
本出願の一実施例では、前記ＰＵＳＣＨ伝送パラメータが前記周波数選択性プリコーディング配置を含み、前記ＰＵＳＣＨ伝送パラメータに基づき、前記アップリンクＢＷＰで前記ＰＵＳＣＨを伝送する方面において、前記プログラムは具体的に以下のステップを実行するための命令を含む。
【０１６１】
前記周波数選択性プリコーディング配置に基づき、前記ＰＵＳＣＨにおけるデータに対して周波数選択性プリコーディングを行う必要があるか否かを確定する。
【０１６２】
確定された結果に基づいて前記アップリンクＢＷＰで前記ＰＵＳＣＨを伝送する。
【０１６３】
本出願の一実施例では、前記ＰＵＳＣＨ伝送パラメータが前記ＤＭＲＳ配置を含み、前記ＰＵＳＣＨ伝送パラメータに基づき、前記アップリンクＢＷＰで前記ＰＵＳＣＨを伝送する方面において、前記プログラムは具体的に以下のステップを実行するための命令を含む。
【０１６４】
前記ＤＭＲＳ配置に基づき、ＤＭＲＳに占有された物理リソース及び／又はＤＭＲＳに採用されるシーケンスを確定する。
【０１６５】
確定された前記物理リソース及び／又は前記ＤＭＲＳに採用されるシーケンスに基づいて前記アップリンクＢＷＰで前記ＰＵＳＣＨのＤＭＲＳを伝送する。
【０１６６】
説明すべきものとして、本実施例で記載される内容の具体的な実施形態について上記方法を参照でき、ここで述べない。
【０１６７】
図６を参照すると、図６は本出願の実施例によるユーザ装置６００であり、ユーザ装置６００が処理ユニット６０１、通信ユニット６０２と記憶ユニット６０３を備え、ここで、
処理ユニット６０１がＰＵＳＣＨを伝送するためのアップリンクＢＷＰを確定するように構成され、
処理ユニット６０１がさらに前記アップリンクＢＷＰに対応するＰＵＳＣＨ伝送パラメータを確定するように構成され、
処理ユニット６０１がさらに前記ＰＵＳＣＨ伝送パラメータに基づいて通信ユニット６０２を介して前記アップリンクＢＷＰで前記ＰＵＳＣＨを伝送するように構成される。
【０１６８】
本出願の一実施例では、ＰＵＳＣＨを伝送するためのアップリンクＢＷＰを確定する方面において、処理ユニット６０１は具体的に、
ＢＷＰ指示情報に基づき、前記ＰＵＳＣＨを伝送するためのアップリンクＢＷＰを確定するように構成され、前記ＰＵＳＣＨをスケジューリングするためのＤＣＩが上記ＢＷＰ指示情報を含む。
【０１６９】
本出願の一実施例では、処理ユニット６０１はさらにネットワーク装置から送信された上位層シグナリングを受信するように構成され、前記上位層シグナリングが前記ユーザ装置の各アップリンクＢＷＰのために、対応するＰＵＳＣＨ伝送パラメータを配置することに用いられる。
【０１７０】
前記アップリンクＢＷＰに対応するＰＵＳＣＨ伝送パラメータを確定する方面において、処理ユニット６０１は具体的に、
前記上位層シグナリングに基づいて前記アップリンクＢＷＰに対応するＰＵＳＣＨ伝送パラメータを確定するように構成される。
【０１７１】
本出願の一実施例では、前記ＰＵＳＣＨ伝送パラメータは、アップリンク伝送方式、コードブックサブセット制限配置、アップリンク最大伝送層数、周波数選択性プリコーディング配置とＤＭＲＳ配置のうちの少なくとも一つを含む。
【０１７２】
本出願の一実施例では、前記アップリンク伝送方式はコードブックに基づく伝送及び／又は非コードブックに基づく伝送を含む。
【０１７３】
本出願の一実施例では、前記コードブックサブセット制限配置は約束されたコードブックで前記ＰＵＳＣＨに利用可能なコードブックサブセットを示すことに用いられる。
【０１７４】
本出願の一実施例では、前記アップリンク最大伝送層数は前記ＰＵＳＣＨに利用可能なＲａｎｋ及び／又は利用可能なプリコーディング行列を確定することに用いられる。
【０１７５】
本出願の一実施例では、前記周波数選択性プリコーディング配置は周波数選択性プリコーディングを許可するか否かの指示情報、及び／又は周波数選択性プリコーディングに使用されるサブバンドサイズ又は数配置を含む。
【０１７６】
本出願の一実施例では、前記ＤＭＲＳ配置は前記ＰＵＳＣＨのＤＭＲＳのパラメータ配置を示すことに用いられ、前記ＤＭＲＳ配置はＤＭＲＳタイプ配置、ＤＭＲＳ時間周波数リソース配置、ＤＭＲＳシーケンス配置とＤＭＲＳ周波数ホッピング配置のうちの少なくとも一つを含む。
【０１７７】
本出願の一実施例では、前記ＰＵＳＣＨ伝送パラメータに基づいて前記アップリンクＢＷＰで前記ＰＵＳＣＨを伝送する方面において、処理ユニット６０１は具体的に、
前記ＰＵＳＣＨ伝送パラメータと前記ＰＵＳＣＨをスケジューリングするためのＤＣＩに含まれるスケジューリング情報とに基づき、前記アップリンクＢＷＰで前記ＰＵＳＣＨを伝送するように構成される。
【０１７８】
本出願の一実施例では、前記ＰＵＳＣＨ伝送パラメータが前記アップリンク伝送方式を含み、前記ＰＵＳＣＨ伝送パラメータと前記ＤＣＩに含まれるスケジューリング情報とに基づき、前記アップリンクＢＷＰで前記ＰＵＳＣＨを伝送する方面において、処理ユニット６０１は具体的に、
前記アップリンク伝送方式に基づいて前記ＤＣＩにＴＲＩ情報とＴＰＭＩ情報が含まれるか否かを確定し、
前記ＤＣＩに前記ＴＲＩとＴＰＭＩ情報が含まれる場合、確定された前記ＴＲＩとＴＰＭＩ情報に基づいて前記アップリンクＢＷＰで前記ＰＵＳＣＨを伝送するように構成される。
【０１７９】
本出願の一実施例では、前記ＰＵＳＣＨ伝送パラメータが前記コードブックサブセット制限配置を含み、前記ＰＵＳＣＨ伝送パラメータと前記ＤＣＩに含まれるスケジューリング情報とに基づき、前記アップリンクＢＷＰで前記ＰＵＳＣＨを伝送する方面において、処理ユニット６０１は具体的に、
前記コードブックサブセット制限配置に基づき、約束されたコードブックからターゲットコードブックサブセットを確定し、
前記ＤＣＩに含まれるＰＭＩ情報に基づき、前記ターゲットコードブックサブセットから前記ＰＵＳＣＨを伝送するためのプリコーディング行列を確定し、
確定された前記プリコーディング行列に基づいて前記アップリンクＢＷＰで前記ＰＵＳＣＨを伝送するように構成される。
【０１８０】
本出願の一実施例では、前記ＰＵＳＣＨ伝送パラメータが前記アップリンク最大伝送層数を含み、前記ＰＵＳＣＨ伝送パラメータと前記ＤＣＩに含まれるスケジューリング情報とに基づき、前記アップリンクＢＷＰで前記ＰＵＳＣＨを伝送する方面において、処理ユニット６０１は具体的に、
前記アップリンク最大伝送層数と前記ＤＣＩに含まれるＴＲＩ情報に基づき、前記ＰＵＳＣＨを伝送するための伝送層数を確定し、又は、前記アップリンク最大伝送層数と前記ＤＣＩに含まれるＳＲＩ情報とに基づき、前記ＰＵＳＣＨを伝送するための伝送層数を確定し、
確定された前記伝送層数に基づいて前記アップリンクＢＷＰで前記ＰＵＳＣＨを伝送するように構成される。
【０１８１】
本出願の一実施例では、前記ＰＵＳＣＨ伝送パラメータが前記周波数選択性プリコーディング配置を含み、前記ＰＵＳＣＨ伝送パラメータと前記ＤＣＩに含まれるスケジューリング情報とに基づき、前記アップリンクＢＷＰで前記ＰＵＳＣＨを伝送する方面において、処理ユニット６０１は具体的に、
前記周波数選択性プリコーディング配置と前記ＤＣＩに含まれるＰＭＩ情報とに基づき、前記ＰＵＳＣＨを伝送するためのプリコーディング行列を確定し、
確定された前記プリコーディング行列に基づいて前記アップリンクＢＷＰで前記ＰＵＳＣＨを伝送するように構成される。
【０１８２】
本出願の一実施例では、前記ＰＵＳＣＨ伝送パラメータが周波数選択性プリコーディングを許可するか否かの前記指示情報を含み、前記ＰＵＳＣＨ伝送パラメータと前記ＤＣＩに含まれるスケジューリング情報とに基づき、前記アップリンクＢＷＰで前記ＰＵＳＣＨを伝送する方面において、処理ユニット６０１は具体的に、
周波数選択性プリコーディングを許可するか否かの前記指示情報と前記ＤＣＩに含まれるＳＲＩ情報とに基づき、前記ＰＵＳＣＨにおけるデータに対して周波数選択性プリコーディングを行う必要があるか否かを確定し、
確定された結果に基づいて前記アップリンクＢＷＰで前記ＰＵＳＣＨを伝送するように構成される。
【０１８３】
本出願の一実施例では、前記ＰＵＳＣＨ伝送パラメータが前記ＤＭＲＳ配置を含み、前記ＰＵＳＣＨ伝送パラメータと前記ＤＣＩに含まれるスケジューリング情報とに基づき、前記アップリンクＢＷＰで前記ＰＵＳＣＨを伝送する方面において、処理ユニット６０１は具体的に、
前記ＤＭＲＳ配置と前記ＤＣＩに含まれるＤＭＲＳポート指示情報とに基づき、ＤＭＲＳに占有された物理リソースを確定し、
確定された前記物理リソースに基づいて前記アップリンクＢＷＰで前記ＰＵＳＣＨのＤＭＲＳを伝送するように構成される。
【０１８４】
本出願の一実施例では、前記ＰＵＳＣＨ伝送パラメータが前記ＤＭＲＳシーケンス配置を含み、前記ＰＵＳＣＨ伝送パラメータと前記ＤＣＩに含まれるスケジューリング情報とに基づき、前記アップリンクＢＷＰで前記ＰＵＳＣＨを伝送する方面において、処理ユニット６０１は具体的に、
前記ＤＭＲＳシーケンス配置と前記ＤＣＩに含まれるＤＭＲＳスクランブリングシーケンスＩＤ指示情報とに基づき、ＤＭＲＳに採用されるシーケンスを確定し、
確定された前記シーケンスに基づいて前記アップリンクＢＷＰで前記ＤＭＲＳを伝送するように構成される。
【０１８５】
本出願の一実施例では、前記ＰＵＳＣＨ伝送パラメータが前記アップリンク伝送方式を含み、前記ＰＵＳＣＨ伝送パラメータと前記ＤＣＩに含まれるスケジューリング情報とに基づき、前記アップリンクＢＷＰで前記ＰＵＳＣＨを伝送する方面において、処理ユニット６０１は具体的に、
前記アップリンク伝送方式に基づいて前記ＤＣＩに含まれるＳＲＩ情報に示されるＳＲＳリソースを確定し、
確定された前記ＳＲＳリソースのためのビーム又はプリコーディング行列に基づき、前記ＰＵＳＣＨを伝送するためのビーム又はプリコーディング行列を確定し、
確定された前記ビーム又は前記プリコーディング行列に基づいて前記アップリンクＢＷＰで前記ＰＵＳＣＨを伝送するように構成される。
【０１８６】
本出願の一実施例では、前記ＰＵＳＣＨ伝送パラメータが前記周波数選択性プリコーディング配置を含み、前記ＰＵＳＣＨ伝送パラメータに基づき、前記アップリンクＢＷＰで前記ＰＵＳＣＨを伝送する方面において、処理ユニット６０１は具体的に、
前記周波数選択性プリコーディング配置に基づき、前記ＰＵＳＣＨにおけるデータに対して周波数選択性プリコーディングを行う必要があるか否かを確定し、
確定された結果に基づいて前記アップリンクＢＷＰで前記ＰＵＳＣＨを伝送するように構成される。
【０１８７】
本出願の一実施例では、前記ＰＵＳＣＨ伝送パラメータが前記ＤＭＲＳ配置を含み、前記ＰＵＳＣＨ伝送パラメータに基づき、前記アップリンクＢＷＰで前記ＰＵＳＣＨを伝送する方面において、処理ユニット６０１は具体的に、
前記ＤＭＲＳ配置に基づき、ＤＭＲＳに占有された物理リソース及び／又はＤＭＲＳに採用されるシーケンスを確定し、
確定された前記物理リソース及び／又は前記ＤＭＲＳに採用されるシーケンスに基づいて前記アップリンクＢＷＰで前記ＰＵＳＣＨのＤＭＲＳを伝送するように構成される。
【０１８８】
ここで、処理ユニット６０１は、プロセッサ又はコントローラであってもよく、例えば中央プロセッサ（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ：Ｄｉｇｉｔａｌ  Ｓｉｇｎａｌ  Ｐｒｏｃｅｓｓｏｒ））、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブル論理デバイス、トランジスタ論理デバイス、ハードウェア部材又はそれらの任意の組み合わせであってもよい。それは本出願で開示された内容を組み合わせて説明された様々な例示的な論理ブロック、モジュール及び回路を実現又は実行することができる。前記プロセッサは計算機能を実現する組み合わせであってもよく、例えば一つ又は複数のマイクロプロセッサ、ＤＳＰとマイクロプロセッサの組み合わせなどを含む。通信ユニット６０２は送受信機、送受信回路、ＲＦチップ、通信インタフェースなどであってもよく、記憶ユニット６０３はメモリであってもよい。
【０１８９】
処理ユニット６０１がプロセッサであり、通信ユニット６０２が通信インタフェースであり、記憶ユニット６０３がメモリである場合、本出願の実施例に係るユーザ装置は図５に示すユーザ装置であってもよい。
【０１９０】
本出願の実施例はさらにコンピュータ可読記憶媒体を提供し、ここで前記コンピュータ可読記憶媒体が電子データ交換のためのコンピュータプログラムを記憶し、ここで、前記コンピュータプログラムによりコンピュータが上記方法の実施例における第一のネットワーク装置で説明された一部又は全てのステップを実行する。
【０１９１】
本出願の実施例はさらにコンピュータプログラム製品を提供し、ここで、前記コンピュータプログラム製品がコンピュータプログラムを記憶する非一時的コンピュータ可読記憶媒体を含み、前記コンピュータプログラムがコンピュータに第一の態様に記載される方法の一部又は全てのステップを実行させるように動作されてもよい。該コンピュータプログラム製品は、一つのソフトウェアインストールパッケージであってもよい。
【０１９２】
本出願の実施例で説明された方法又はアルゴリズムのステップはハードウェアで実現されてもよいし、プロセッサがソフトウェア命令を実行することで実現されてもよい。ソフトウェア命令が対応するソフトウェアモジュールで構成され、ソフトウェアモジュールはランダムアクセスメモリ（ＲＡＭ：Ｒａｎｄｏｍ  Ａｃｃｅｓｓ  Ｍｅｍｏｒｙ）、フラッシュメモリ、読み出し専用メモリ（ＲＯＭ：Ｒｅａｄ  Ｏｎｌｙ  Ｍｅｍｏｒｙ）、消去可能プログラマブル読み出し専用メモリ（ＥＰＲＯＭ：Ｅｒａｓａｂｌｅ  Ｐｒｏｇｒａｍｍａｂｌｅ  ＲＯＭ）、電気的消去可能プログラマブル読み取り専用メモリ（ＥＥＰＲＯＭ：Ｅｌｅｃｔｒｉｃａｌｌｙ  ＥＰＲＯＭ）、レジスタ、ハードディスク、モバイルハードディスク、読み出し専用光ディスク（ＣＤ−ＲＯＭ）又は本分野の既知のいかなる他の形態の記憶媒体に記憶されてもよい。例示的な記憶媒体はプロセッサに結合され、これによりプロセッサは該記憶媒体から情報を読み取ることができ、且つ該記憶媒体に情報を書き込むことができる。当然、記憶媒体はプロセッサの構成部分であってもよい。プロセッサと記憶媒体はＡＳＩＣに位置してもよい。また、該ＡＳＩＣはアクセスネットワーク装置、ターゲットネットワーク装置又はコアネットワーク装置に位置してもよい。当然、プロセッサと記憶媒体はディスクリートコンポーネントとしてアクセスネットワーク装置、ターゲットネットワーク装置又はコアネットワーク装置に位置してもよい。
【０１９３】
当業者は、上述した一つ又は複数の例において、本出願の実施例で説明された機能が全部又は一部でソフトウェア、ハードウェア、ファームウェア又はそれらの任意の組み合わせによって実現されてもよいことを理解することができる。ソフトウェアで実施される場合、全て又は部分的にコンピュータプログラム製品の形で実施されてもよい。コンピュータで前記コンピュータプログラム命令をロードして実行する場合、本出願の実施例に従って説明されたプロセス又は機能を全て部分的に生成する。前記コンピュータは汎用コンピュータ、専用コンピュータ、コンピュータネットワーク、又は他のプログラマブルデバイスであってもよい。前記コンピュータ命令はコンピュータ可読記憶媒体に記憶されてもよく、又は一つのコンピュータ読記憶媒体から別のコンピュータ読記憶媒体に伝送されてもよく、例えば、前記コンピュータ命令は一つウェブサイト、コンピュータ、サーバ又はデータセンターから別のウェブサイト、コンピュータ、サーバ又はデータセンターに有線（例えば同軸ケーブル、光ファイバ、デジタル加入者線（ＤＳＬ：Ｄｉｇｉｔａｌ  Ｓｕｂｓｃｒｉｂｅｒ  Ｌｉｎｅ）又は無線（例えば赤外線、無線、マイクロ波など）で伝送されてもよい。前記コンピュータ読記憶媒体はコンピュータがアクセスできるいかなる利用可能な媒体であってもよく、又は一つ又は複数の利用可能な媒体で集積されたサーバ、データセンターなどのデータ記憶装置を含む。前記利用可能な媒体は磁気媒体（例えばフロッピーディスク、ハードディスク、磁気テープ）、光学媒体（例えばデジタルビデオディスク（ＤＶＤ：Ｄｉｇｉｔａｌ  Ｖｉｄｅｏ  Ｄｉｓｃ））、又は半導体媒体（例えばソリッドステートディスク（ＳＳＤ：Ｓｏｌｉｄ  Ｓｔａｔｅ  Ｄｉｓｋ））などであってもよい。
【０１９４】
上記の具体的な実施形態では、本出願の実施例の目的、技術的解決策と有益な効果をさらに詳しく説明し、したがって、理解すべきものとして、上記は本出願の具体的な実施例の具体的な実施形態に過ぎず、本出願の実施例の保護範囲を限定するためのものではなく、本出願の実施例の技術的解決策に基づいて行われるいかなる修正、同等置き換え、改良などは、いずれも本開示の保護範囲内に含まれるべきである。
【図１】
2021516459.tif 000003
【図２】
2021516459.tif 000004
【図３】
2021516459.tif 000005
【図４】
2021516459.tif 000006
【図５】
2021516459.tif 000007
【図６】
2021516459.tif 000008
【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
アップリンクデータ伝送方法であって、
ユーザ装置が物理アップリンク共有チャネル（ＰＵＳＣＨ）を伝送するためのアップリンク帯域幅部分（ＢＷＰ）を確定することと、
前記ユーザ装置が前記アップリンクＢＷＰに対応するＰＵＳＣＨ伝送パラメータを確定することと、
前記ユーザ装置が前記ＰＵＳＣＨ伝送パラメータに基づいて前記アップリンクＢＷＰで前記ＰＵＳＣＨを伝送することとを含む、前記アップリンクデータ伝送方法。
【請求項２】
前記ユーザ装置がＰＵＳＣＨを伝送するためのアップリンクＢＷＰを確定することは、
前記ユーザ装置がＢＷＰ指示情報に基づき、前記ＰＵＳＣＨを伝送するためのアップリンクＢＷＰを確定するように構成され、前記ＰＵＳＣＨをスケジューリングするためのダウンリンク制御情報（ＤＣＩ）が前記ＢＷＰ指示情報を含むことを特徴とする
請求項１に記載の方法。
【請求項３】
前記方法はさらに、
前記ユーザ装置がネットワーク装置から送信された上位層シグナリングを受信し、前記上位層シグナリングが前記ユーザ装置の各アップリンクＢＷＰのために、対応するＰＵＳＣＨ伝送パラメータを配置することに用いられることを含み、
前記ユーザ装置が前記アップリンクＢＷＰに対応するＰＵＳＣＨ伝送パラメータを確定することは、
前記ユーザ装置が前記上位層シグナリングに基づいて前記アップリンクＢＷＰに対応するＰＵＳＣＨ伝送パラメータを確定することを含むことを特徴とする
請求項１又は２に記載の方法。
【請求項４】
前記ＰＵＳＣＨ伝送パラメータは、アップリンク伝送方式、コードブックサブセット制限配置、アップリンク最大伝送層数、周波数選択性プリコーディング配置と復調基準信号（ＤＭＲＳ）配置のうちの少なくとも一つを含むことを特徴とする
請求項１−３のいずれか一項に記載の方法。
【請求項５】
前記アップリンク伝送方式はコードブックに基づく伝送及び／又は非コードブックに基づく伝送を含むことを特徴とする
請求項４に記載の方法。
【請求項６】
前記コードブックサブセット制限配置は約束されたコードブックで前記ＰＵＳＣＨに利用可能なコードブックサブセットを示すことに用いられることを特徴とする
請求項４又は５に記載の方法。
【請求項７】
前記アップリンク最大伝送層数は前記ＰＵＳＣＨに利用可能なランク（Ｒａｎｋ）及び／又は利用可能なプリコーディング行列を確定することに用いられることを特徴とする
請求項４−６のいずれか一項に記載の方法。
【請求項８】
前記ＤＭＲＳ配置は前記ＰＵＳＣＨのＤＭＲＳのパラメータ配置を示すことに用いられ、前記ＤＭＲＳ配置はＤＭＲＳタイプ配置、ＤＭＲＳ時間周波数リソース配置、ＤＭＲＳシーケンス配置とＤＭＲＳ周波数ホッピング配置のうちの少なくとも一つを含むことを特徴とする
請求項４−７のいずれか一項に記載の方法。
【請求項９】
前記ユーザ装置が前記ＰＵＳＣＨ伝送パラメータに基づいて前記アップリンクＢＷＰで前記ＰＵＳＣＨを伝送することは、
前記ユーザ装置が前記ＰＵＳＣＨ伝送パラメータと前記ＰＵＳＣＨをスケジューリングするためのＤＣＩに含まれるスケジューリング情報とに基づき、前記アップリンクＢＷＰで前記ＰＵＳＣＨを伝送することを特徴とする
請求項２−８のいずれか一項に記載の方法。
【請求項１０】
前記ＰＵＳＣＨ伝送パラメータが前記アップリンク伝送方式を含み、前記ユーザ装置が前記ＰＵＳＣＨ伝送パラメータと前記ＤＣＩに含まれるスケジューリング情報とに基づき、前記アップリンクＢＷＰで前記ＰＵＳＣＨを伝送することは、
前記ユーザ装置が前記アップリンク伝送方式に基づいて前記ＤＣＩに送信ランクインジケータ（ＴＲＩ）情報と送信プリコーディング行列インジケータ（ＴＰＭＩ）情報が含まれるか否かを確定することと、
前記ＤＣＩに前記ＴＲＩとＴＰＭＩ情報が含まれる場合、前記ユーザ装置が確定された前記ＴＲＩとＴＰＭＩ情報に基づいて前記アップリンクＢＷＰで前記ＰＵＳＣＨを伝送することとを含むことを特徴とする
請求項９に記載の方法。
【請求項１１】
前記ＰＵＳＣＨ伝送パラメータが前記コードブックサブセット制限配置を含み、前記ユーザ装置が前記ＰＵＳＣＨ伝送パラメータと前記ＤＣＩに含まれるスケジューリング情報とに基づき、前記アップリンクＢＷＰで前記ＰＵＳＣＨを伝送することは、
前記ユーザ装置が前記コードブックサブセット制限配置に基づき、約束されたコードブックからターゲットコードブックサブセットを確定することと、
前記ユーザ装置が前記ＤＣＩに含まれるＰＭＩ情報に基づき、前記ターゲットコードブックサブセットから前記ＰＵＳＣＨを伝送するためのプリコーディング行列を確定することと、
前記ユーザ装置が確定された前記プリコーディング行列に基づいて前記アップリンクＢＷＰで前記ＰＵＳＣＨを伝送することとを含むことを特徴とする
請求項９又は１０に記載の方法。
【請求項１２】
前記ＰＵＳＣＨ伝送パラメータが前記アップリンク最大伝送層数を含み、前記ユーザ装置が前記ＰＵＳＣＨ伝送パラメータと前記ＤＣＩに含まれるスケジューリング情報とに基づき、前記アップリンクＢＷＰで前記ＰＵＳＣＨを伝送することは、
前記ユーザ装置が前記アップリンク最大伝送層数と前記ＤＣＩに含まれるＴＲＩ情報に基づき、前記ＰＵＳＣＨを伝送するための伝送層数を確定すること、又は、前記ユーザ装置が前記アップリンク最大伝送層数と前記ＤＣＩに含まれるＳＲＳリソースインジケータ（ＳＲＩ）情報に基づき、前記ＰＵＳＣＨを伝送するための伝送層数を確定することと、
前記ユーザ装置が確定された前記伝送層数に基づいて前記アップリンクＢＷＰで前記ＰＵＳＣＨを伝送することとを含むことを特徴とする
請求項９−１１のいずれか一項に記載の方法。
【請求項１３】
前記ＰＵＳＣＨ伝送パラメータが前記ＤＭＲＳ配置を含み、前記ユーザ装置が前記ＰＵＳＣＨ伝送パラメータと前記ＤＣＩに含まれるスケジューリング情報とに基づき、前記アップリンクＢＷＰで前記ＰＵＳＣＨを伝送することは、
前記ユーザ装置が前記ＤＭＲＳ配置と前記ＤＣＩに含まれるＤＭＲＳポート指示情報とに基づき、ＤＭＲＳに占有された物理リソースを確定することと、確定された前記物理リソースに基づいて前記アップリンクＢＷＰで前記ＰＵＳＣＨのＤＭＲＳを伝送することとを含むことを特徴とする
請求項９−１２のいずれか一項に記載の方法。
【請求項１４】
前記ＰＵＳＣＨ伝送パラメータが前記ＤＭＲＳシーケンス配置を含み、前記ユーザ装置が前記ＰＵＳＣＨ伝送パラメータと前記ＤＣＩに含まれるスケジューリング情報とに基づき、前記アップリンクＢＷＰで前記ＰＵＳＣＨを伝送することは、
前記ユーザ装置が前記ＤＭＲＳシーケンス配置と前記ＤＣＩに含まれるＤＭＲＳスクランブリングシーケンスＩＤ指示情報とに基づき、ＤＭＲＳに採用されるシーケンスを確定することと、確定された前記シーケンスに基づいて前記アップリンクＢＷＰで前記ＰＵＳＣＨのＤＭＲＳを伝送することとを含むことを特徴とする
請求項９−１２のいずれか一項に記載の方法。
【請求項１５】
前記ＰＵＳＣＨ伝送パラメータが前記アップリンク伝送方式を含み、前記ユーザ装置が前記ＰＵＳＣＨ伝送パラメータと前記ＤＣＩに含まれるスケジューリング情報とに基づき、前記アップリンクＢＷＰで前記ＰＵＳＣＨを伝送することは、
前記ユーザ装置が前記アップリンク伝送方式に基づいて前記ＤＣＩに含まれるＳＲＩ情報に示されるＳＲＳリソースを確定することと、
前記ユーザ装置が確定された前記ＳＲＳリソースのためのビーム又はプリコーディング行列に基づき、前記ＰＵＳＣＨを伝送するためのビーム又はプリコーディング行列を確定することと、
前記ユーザ装置が確定された前記ビーム又は前記プリコーディング行列に基づいて前記アップリンクＢＷＰで前記ＰＵＳＣＨを伝送することとを含むことを特徴とする
請求項９−１４のいずれか一項に記載の方法。
【国際調査報告】
2021516459.tif 000009
2021516459.tif 000010
2021516459.tif 000011
2021516459.tif 000012